(57)【要約】【課題】宅内にあるＥＣＨＯＮＥＴ機器やＨＡ機器を個別に制御することが可能なホームエネルギーマネージメントシステムを提供することを目的とする。【解決手段】住宅に設けられるとともに太陽電池アレイ１０および系統電源４２から供給される電力を消費する複数の電気機器に通信ネットワークを介して接続され、これら複数の電気機器を制御する表示装置２３を備えるホームエネルギーマネージメントシステム２０において、複数の電気機器として、ＥＣＨＯＮＥＴ規格およびＥＣＨＯＮＥＴＬｉｔｅ規格に対応するＥＣＨＯＮＥＴ機器と、ＨＡ端子を備えたＨＡ機器とがあり、表示装置２３は、ＥＣＨＯＮＥＴ機器およびＨＡ機器の各機器をそれぞれ個別に操作するための複数のボタン６３〜７０を表示可能とされている。【選択図】図１
2014165998.tif 000002
【特許請求の範囲】
【請求項１】
住宅に設けられるとともに太陽電池アレイおよび系統電源から供給される電力を消費する複数の電気機器に通信ネットワークを介して接続され、これら複数の電気機器を制御する表示装置を備えるホームエネルギーマネージメントシステムにおいて、
前記複数の電気機器として、ＥＣＨＯＮＥＴ規格およびＥＣＨＯＮＥＴ  Ｌｉｔｅ規格に対応するＥＣＨＯＮＥＴ機器と、ＨＡ端子を備えたＨＡ機器とがあり、
前記表示装置は、前記ＥＣＨＯＮＥＴ機器および前記ＨＡ機器の各機器をそれぞれ制御するための複数のボタンを表示可能とされていることを特徴とするホームエネルギーマネージメントシステム。
【請求項２】
請求項１に記載のホームエネルギーマネージメントシステムにおいて、
前記表示装置は、前記ＥＣＨＯＮＥＴ機器および前記ＨＡ機器と、前記複数のボタンとをそれぞれ連携させるための設定画面を表示可能とされていることを特徴とするホームエネルギーマネージメントシステム。
【請求項３】
請求項１または２に記載のホームエネルギーマネージメントシステムにおいて、
前記表示装置は、前記ＥＣＨＯＮＥＴ機器および前記ＨＡ機器の使用状況をチェックするためのチェック画面を表示可能とされており、
前記チェック画面には、前記複数のボタンを表示するボタン表示領域と、
前記ＥＣＨＯＮＥＴ機器および前記ＨＡ機器が設置された建物内エリアの電力の使用状況を表示する使用状況表示領域と、
前記複数の電気機器のうち外出時に使用される機器を制御する制御ボタンを表示する外出用ボタン表示領域と、が含まれていることを特徴とするホームエネルギーマネージメントシステム。
【発明の詳細な説明】
【技術分野】
【０００１】
本発明は、ホームエネルギーマネージメントシステムに関する。
【背景技術】
【０００２】
従来、宅内に設置されたエアコン等のＨＡ端子を備えた複数の機器を一つのコントローラで制御するためのホームオートメーションシステム（ＨＡシステム）が知られている（特許文献１参照）。
また、近年では、宅内の機器を制御するＥＣＨＯＮＥＴ（登録商標）、ＥＣＨＯＮＥＴ  Ｌｉｔｅ（登録商標）などの通信プロトコルに係る技術が知られている。このＥＣＨＯＮＥＴ，ＥＣＨＯＮＥＴ  Ｌｉｔｅは、主に冷蔵庫、洗濯機、電子レンジおよびエアコンのような、いわゆる白物家電やセンサーを対象とした規格となっている。
【０００３】
また、近年、住宅内のエネルギー消費機器をネットワーク化し、エネルギーの使用状況を表示したり、エネルギーの使用状況に応じて各機器を自動制御したりするための手段として、ＨＥＭＳ（Home Energy Management System）が提案されている。このような技術として、特許文献２には、系統電源、太陽光発電システム、家庭用電気機器および電気自動車の電力量を検出して、それらの検出電力量を表示するとともに各種機器等を操作可能な表示装置を備えたエネルギー表示システムが開示されている。
【先行技術文献】
【特許文献】
【０００４】
【特許文献１】特開平１０−２２９５９１号公報
【特許文献２】特開２０１１−１６３８５８号公報
【発明の概要】
【発明が解決しようとする課題】
【０００５】
ところで、宅内には、上述したような白物家電を始めとする様々な機器が設置される。設置される機器としては、上記ＨＡシステムに対応する所謂ＨＡ機器の場合も、上記のＥＣＨＯＮＥＴやＥＣＨＯＮＥＴ  Ｌｉｔｅに対応する所謂ＥＣＨＯＮＥＴ機器の場合もある。このため、宅内においてＥＣＨＯＮＥＴ機器やＨＡ機器が混在する場合がある。
そこで、宅内において混在するＥＣＨＯＮＥＴ機器やＨＡ機器を、ＨＥＭＳで使用される表示装置によって個別に制御したいという要望があった。
【０００６】
本発明の課題は、宅内にあるＥＣＨＯＮＥＴ機器やＨＡ機器を個別に制御することが可能なホームエネルギーマネージメントシステムを提供することを目的とする。
【課題を解決するための手段】
【０００７】
請求項１に記載の発明は、例えば図１〜図４３に示すように、住宅に設けられるとともに太陽電池アレイ１０および系統電源４２から供給される電力を消費する複数の電気機器に通信ネットワークを介して接続され、これら複数の電気機器を制御する表示装置２３を備えるホームエネルギーマネージメントシステム２０において、
前記複数の電気機器として、ＥＣＨＯＮＥＴ規格およびＥＣＨＯＮＥＴ  Ｌｉｔｅ規格に対応するＥＣＨＯＮＥＴ機器（例えばエアコン等）と、ＨＡ端子を備えたＨＡ機器（例えば電気錠操作盤２８、エアコン等）とがあり、
前記表示装置２３は、前記ＥＣＨＯＮＥＴ機器および前記ＨＡ機器の各機器をそれぞれ個別に操作するための複数のボタン６３〜７０を表示可能とされていることを特徴とする。
【０００８】
請求項１に記載の発明によれば、前記表示装置２３は、前記ＥＣＨＯＮＥＴ機器および前記ＨＡ機器の各機器をそれぞれ制御するための制御装置として機能し、前記複数のボタン６３〜７０は、前記ＥＣＨＯＮＥＴ機器および前記ＨＡ機器の各機器をそれぞれ個別に操作するためのものである。そして、前記表示装置２３に対して前記複数のボタン６３〜７０が表示できるので、ユーザーは、前記表示装置２３に表示される前記複数のボタン６３〜７０を操作して、前記ＥＣＨＯＮＥＴ機器および前記ＨＡ機器の各機器を個別に操作することができる。
これによって、例えば宅内に前記ＥＣＨＯＮＥＴ機器および前記ＨＡ機器が混在していても、前記ＥＣＨＯＮＥＴ機器および前記ＨＡ機器の各機器を個別に制御することが可能となる。
【０００９】
請求項２に記載の発明は、請求項１に記載のホームエネルギーマネージメントシステム２０において、
前記表示装置２３は、前記ＥＣＨＯＮＥＴ機器および前記ＨＡ機器と、前記複数のボタン６３〜７０とをそれぞれ連携させるための設定画面を表示可能とされていることを特徴とする。
【００１０】
請求項２に記載の発明によれば、前記表示装置２３は、前記ＥＣＨＯＮＥＴ機器および前記ＨＡ機器と、前記複数のボタン６３〜７０とをそれぞれ連携させるための設定画面を表示可能とされているので、前記表示装置２３に前記設定画面を表示して、前記ＥＣＨＯＮＥＴ機器および前記ＨＡ機器と、前記複数のボタン６３〜７０とをそれぞれ連携させることができる。
これによって、ユーザーは、前記設定画面上で前記複数のボタン６３〜７０の設定を行うことができるので使い勝手がよい。
【００１１】
請求項３に記載の発明は、請求項１または２に記載のホームエネルギーマネージメントシステム２０において、
前記表示装置２３は、前記ＥＣＨＯＮＥＴ機器および前記ＨＡ機器の使用状況をチェックするためのチェック画面を表示可能とされており、
前記チェック画面には、前記複数のボタン６３〜７０を表示するボタン表示領域７２と、
前記ＥＣＨＯＮＥＴ機器および前記ＨＡ機器が設置された建物２１内エリアの電力の使用状況を表示する使用状況表示領域７３と、
前記複数の電気機器のうち外出時に使用される機器（例えば、電気錠操作盤２８や電気で駆動する車両１４等）を制御する制御ボタン７６〜７９を表示する外出用ボタン表示領域７４と、が含まれていることを特徴とする。
【００１２】
請求項３に記載の発明によれば、前記チェック画面には、前記ボタン表示領域７２と、前記使用状況表示領域７３と、前記外出用ボタン表示領域７４と、が含まれているので、前記使用状況表示領域７３に表示された前記ＥＣＨＯＮＥＴ機器および前記ＨＡ機器が設置された建物２１内エリアの電力の使用状況を確認しながら、前記ボタン表示領域７２に表示された前記複数のボタン６３〜７０を操作して、前記ＥＣＨＯＮＥＴ機器および前記ＨＡ機器を制御できる。さらに、前記ＥＣＨＯＮＥＴ機器および前記ＨＡ機器が設置された建物２１内エリアの電力の使用状況を確認しながら、外出時に使用される機器を制御する制御ボタン７６〜７９を操作して、前記外出時に使用される機器を制御できる。
これによって、ユーザーは、外出する際に前記チェック画面上で、前記ＥＣＨＯＮＥＴ機器および前記ＨＡ機器の使用状況に応じた前記ＥＣＨＯＮＥＴ機器および前記ＨＡ機器の制御が可能となるので、前記外出時に使用される機器を操作するために外に出たり、各機器が配置された部屋まで機器を操作しに行ったりする手間を省略することができ、使い勝手がよい。
【発明の効果】
【００１３】
本発明によれば、表示装置は、ＥＣＨＯＮＥＴ機器およびＨＡ機器の各機器をそれぞれ制御するための制御装置として機能し、複数のボタンは、ＥＣＨＯＮＥＴ機器およびＨＡ機器の各機器をそれぞれ個別に操作するためのものである。そして、表示装置に対して複数のボタンが表示できるので、ユーザーは、表示装置に表示される複数のボタンを操作して、ＥＣＨＯＮＥＴ機器およびＨＡ機器の各機器を個別に操作することができる。
これによって、例えば宅内にＥＣＨＯＮＥＴ機器およびＨＡ機器が混在していても、ＥＣＨＯＮＥＴ機器およびＨＡ機器の各機器を個別に制御することが可能となる。
【図面の簡単な説明】
【００１４】
【図１】ホームエネルギーマネージメントシステムの概略を示す図である。
【図２】図１に示すホームエネルギーマネージメントシステムの通常時における制御回路を示す図である。
【図３】図１に示すホームエネルギーマネージメントシステムの停電時における制御回路を示す図である。
【図４】電力システムの一例を示す概略図である。
【図５】蓄電池システムの回路の一例を示す図である。
【図６】電力システムの一例を示す概略図である。
【図７】蓄電池システムの回路の一例を示す図である。
【図８】停電時における太陽電池アレイによる発電電力と宅内で使用される電力との関係を示すグラフである。
【図９】停電時の電力システムの動作の概略を示す図である。
【図１０】蓄電池システムの設定値と充電量との関係を示すグラフである。
【図１１】停電時の制御フローおよび機器挙動を示す表である。
【図１２】電力システムの一例を示す概略図である。
【図１３】蓄電池の設置構造を示す図である。
【図１４】（ａ），（ｂ）は蓄電池の概略設置寸法を示す斜視図であり、（ｃ）は双方向インバータの概略設置寸法を示す斜視図である。
【図１５】蓄電池の構成を示す斜視図である。
【図１６】双方向インバータと複数列の蓄電池との接続状態を示す図である。
【図１７】第一充電モードの概要を示す図である。
【図１８】第一充電モードにおける放電制御を示す図である。
【図１９】第二充電モードの概要を示す図である。
【図２０】第二充電モードにおける充電制御を示す図である。
【図２１】第二充電モードにおける放電制御を示す図である。
【図２２】第一充電モードと第二充電モードを選択する画面を示す図である。
【図２３】第一充電モード中の画面を示す図である。
【図２４】蓄電池の設定画面を示す図である。
【図２５】蓄電池の整定値設定画面を示す図である。
【図２６】ホームエネルギーマネージメントシステムの一部の概略を示す図である。
【図２７】ホームエネルギーマネージメントシステムの一部の概略を示す図である。
【図２８】ホームエネルギーマネージメントシステムの一部の概略を示す図である。
【図２９】ホームエネルギーマネージメントシステムの一部の概略を示す図である。
【図３０】チェック画面を示す図である。
【図３１】チェック画面を示す図である。
【図３２】チェック画面を示す図である。
【図３３】メニュー画面を示す図である。
【図３４】ＥＣＨＯＮＥＴ機器・ＨＡ機器の設定画面を示す図である。
【図３５】ＥＣＨＯＮＥＴ機器・ＨＡ機器の設定画面を示す図である。
【図３６】ＥＣＨＯＮＥＴ機器・ＨＡ機器の設定画面を示す図である。
【図３７】ＥＣＨＯＮＥＴ機器・ＨＡ機器の設定画面を示す図である。
【図３８】接続機器の設定画面を示す図である。
【図３９】接続機器の設定画面を示す図である。
【図４０】リモート機器の設定画面を示す図である。
【図４１】リモート機器の設定画面を示す図である。
【図４２】リモート機器の設定画面を示す図である。
【図４３】ピークカット設定画面を示す図である。
【発明を実施するための形態】
【００１５】
以下、図面を参照して本発明の実施の形態について説明する。ただし、以下に述べる実施形態には、本発明を実施するために技術的に好ましい種々の限定が付されているので、本発明の技術的範囲を以下の実施形態および図示例に限定するものではない。
【００１６】
＜ホームエネルギーマネージメントシステム＞
図１は、ホームエネルギーマネージメントシステム（ＨＥＭＳ：Home Energy Management System）２０の概略図である。また、図２，図３は、通常時または停電時におけるホームエネルギーマネージメントシステム２０の制御回路を示している。ホームエネルギーマネージメントシステム２０は、住宅全体の電力等のエネルギー需給を総合的に管理するものであり、住宅に設置されている。なお、本実施の形態の住宅は、家屋そのもの（建物２１）と、建物２１が建築される敷地も含むものとする。
ホームエネルギーマネージメントシステム２０は、電気配線網、通信ネットワーク、分電盤２２および表示装置２３等を備える。電気配線網および通信ネットワークは住宅に張り巡らされ、必要な電力を供給・受給したり、必要な情報を送受信したりしている。
【００１７】
分電盤２２は、買電用電力計（順潮流用電力計）および売電用電力計（逆潮流用電力計）等の電力メーター４２ａを介して系統電源４２に接続されている。系統電源４２は、電力会社の商用配電線網（系統電力網）から供給される電源である。すなわち、分電盤２２は、電力潮流制御を行うことができ、必要に応じて余剰電力を系統電源４２へ逆潮流して、その余剰電力を系統電源４２に供給する。
また、この分電盤２２はセンサー付き分電盤とされており、住宅内の各所で使用される電力使用量を計測する計測ユニット２２ａや、ガス・水道の使用量を計測する流量センサー２４と接続されるパルスカウンター２２ｂを有する。
【００１８】
表示装置２３は、前記分電盤２２と接続されており、系統電源や自家発電電力、蓄電電力等を管理・制御できる。また、表示装置２３は前記分電盤２２を介して接続された各種電気機器等の制御も行うことができる。
また、この表示装置２３は、エネルギー状況や各種情報が表示される表示部２３ａと、前記表示部２３ａに表示された画面や前記ホームエネルギーマネージメントシステム２０に組み込まれた各種電気機器の操作を行うための操作部２３ｂと、前記ホームエネルギーマネージメントシステム２０の各種動作を制御するための制御手段とを備える。
なお、この表示装置２３は通信ネットワークを利用して、例えばスマートフォン等の情報端末と接続可能とされており、外出中でも、この情報端末上で各種操作や情報確認等を行うことができる。
また、この表示装置２３は通信ネットワークを利用して、例えば住宅関連サービスを提供する会社のサーバー４１にアクセスして、住宅関連サービスを受けることができる。例えば、地域のリアルタイムの気象情報を受信したり、表示装置２３を構成するソフトウェアのアップデートを行ったりするなど様々なサービスが挙げられる。
【００１９】
前記建物２１は、壁、床および天井等によって複数のエリア（例えば、居間、台所、食堂、浴室、玄関、便所、寝室、和室、洋室、廊下、階段室、庭、駐車場等）に区画されている。エリアの数は幾つでもよく、間取りはどのようなものであってもよい。
【００２０】
住宅に設置される各種電気機器としては様々なものが挙げられる。
例えば、全館空調システム２５（室内機２５ａ、室外機２５ｂ、リモコン２５ｃ）や、ヒートポンプ給湯器２６（ヒートポンプユニット２６ａ、貯湯タンク２６ｂ、浴室リモコン２６ｃ）、電気で駆動する車両１４（例えば電気自動車、プラグインハイブリッド自動車）に搭載された車両用蓄電池１４ａに充電するための充電機器２７（充電スタンド）、ドアや窓等の建具のロックのための電気錠操作盤２８、照明器具２９、各種センサー３０，３１、その他いわゆる白物家電と呼ばれる各種家電機器（冷蔵庫３２、洗濯機、電子レンジなど）等である。
また、建物２１内に設置される電気機器の多くはコンセントにプラグを差し込んで電力を受給している（標準負荷系統）。建物２１外や外部に面する箇所に設置される電気機器の多くはジョイントボックスを介して電力を受給している。
また、これら各種電気機器は、前記表示装置２３に対してＬＡＮ接続され、前記表示装置２３によって操作可能となっている。
【００２１】
前記電気錠操作盤２８は、住宅の外周壁の開口部（例えば、勝手口、玄関口、通気口、採光口）に設けられて、その開口部を開閉する建具の施錠・解錠するための制御装置であり、建物２１内の複数の開口部にそれぞれ設けられている。
【００２２】
前記センサー３０は温湿度センサーであり、この温湿度センサー３０によって検出された温湿度は、前記表示装置２３によって建物２１内の空調を管理する際に利用される。
前記センサー３１はＩＲ発光器であり、赤外線を発光し、それを受信する受信機とセットで防犯や機器の操作等の用途で用いられる。
【００２３】
また、住宅には、停電時の宅内における重要負荷系統１５に電力を供給するための重要負荷分電盤１３が設置されている。
この重要負荷分電盤１３は、通常時においては前記分電盤２２に接続されているが、停電時には太陽電池アレイ１０および蓄電池システム１１等によって自立運転が可能となっている。
なお、重要負荷系統１５としては、停電時における食料庫として機能する冷蔵庫３２や医療機器等のように、停電時（非常時）にその稼働が止まってはならない電気機器が該当する。
【００２４】
＜電力システム＞
以上のようなホームエネルギーマネージメントシステム２０は、電力システムを含んで構成されている。
電力システムは、図４および図６に示すように、太陽電池アレイ１０と、前記太陽電池アレイ１０による発電電力を充電する蓄電池システム１１（１２）と、前記蓄電池システム１１（１２）に接続される宅内の前記分電盤１３（２２）と、を備えるものである。
そして、前記太陽電池アレイ１０と、前記蓄電池システム１１（１２）と、前記分電盤１３（２２）とが、前記太陽電池アレイ１０による発電電力が前記蓄電池システム１１（１２）を経由する並び順となるように直列的に接続されている。
【００２５】
（実施例１）
まず、電力システムの第１の実施例について説明する。
前記太陽電池アレイ１０は複数の太陽電池モジュールからなる。そして、この太陽電池アレイ１０は、当該太陽電池アレイ１０によって発電された電力を直流電力から交流電力へと変換するパワーコンディショナー１０ａを介して前記分電盤２２に接続されている。
また、太陽電池アレイ１０は、図１に示すように、建物２１の外（例えば、建物２１の屋根の上）に設けられている。
前記蓄電池システム１１も前記分電盤２２に接続されている。また、蓄電池システム１１は、本実施の形態においては建物２１内の床上にあり、かつ建物２１内の居室環境と同等の環境を備える宅内スペース（図示せず）に設けられている。
【００２６】
また、この蓄電池システム１１は、図２，図３に示すように、前記重要負荷分電盤１３に対しても接続されている。
すなわち、通常時には、図２に示すように、太陽電池アレイ１０によって発電された直流電力がパワーコンディショナー１０ａによって宅内用電圧の交流電力に変換されて、その交流電力が前記分電盤２２に供給される。
また、停電時には、図３に示すように、太陽電池アレイ１０によって発電された直流電力がパワーコンディショナー１０ａによって宅内用電圧の交流電力に変換されて、その交流電力が前記重要負荷分電盤１３に供給される。
【００２７】
蓄電池システム１１は、図４に示すように、前記パワーコンディショナー１０ａに接続され、交流電力を直流電力に変換するコンバータ１１ａと、前記コンバータ１１ａに接続される蓄電池本体１１ｂと、前記蓄電池本体１１ｂと前記分電盤１３との間に接続され、直流電力と交流電力との双方向の変換を行う双方向インバータ１１ｃと、を有する。
すなわち、前記太陽電池アレイ１０で発電し、前記パワーコンディショナー１０ａを介して供給される交流電力を前記コンバータ１１ａによって直流電力に変換して前記蓄電池本体１１ｂに充電することができる。
なお、前記コンバータ１１ａと前記双方向インバータ１１ｃは、前記蓄電池本体１１ｂに付属するパワーコンディショナーとして機能するものとなる。
【００２８】
前記コンバータ１１ａは、前記太陽電池アレイ１０に付属する前記パワーコンディショナー１０ａと前記蓄電池本体１１ｂとの間に設けられる。
また、前記双方向インバータ１１ｃは、前記蓄電池本体１１ｂと前記重要負荷分電盤１３との間に設けられる。
したがって、停電時には、前記太陽電池アレイ１０で発電された電力は前記重要負荷分電盤１３に供給される間に前記蓄電池本体１１ｂを経由することになる。蓄電池本体１１ｂを経由する電力は、当該蓄電池本体１１ｂに充電されてから前記重要負荷分電盤１３へと供給されるため、太陽電池アレイ１０で発電している間は、常に蓄電池本体１１ｂへの充電が行われることになる。
【００２９】
また、通常時には、前記太陽電池アレイ１０で発電された電力は前記センサー付き分電盤２２に供給され、その後、この分電盤２２から前記双方向インバータ１１ｃを介して前記蓄電池本体１１ｂへと供給できる。これによって、前記太陽電池アレイ１０で発電した電力を住宅内の各種電気機器へと供給しながら、余剰分を前記蓄電池本体１１ｂへと供給し、これを充電することができる。
また、夜間においては前記分電盤２２によって安価な深夜電力を系統電力網から受給して、この深夜電力を前記蓄電池本体１１ｂへと供給することができる。
【００３０】
なお、前記重要負荷分電盤１３は、図２および図３に示すように、通常には当該重要負荷分電盤１３と前記分電盤２２とを接続し、停電時には当該重要負荷分電盤１３と前記蓄電池システム１１とを接続するためのリレー１３ａを備える。
すなわち、重要負荷分電盤１３は、停電時にリレー１３ａの切り替えが行われることによって蓄電池システム１１から電力を受給できる。
【００３１】
図５は蓄電池システム１１の回路の一例を示す図である。
すなわち、前記蓄電池システム１１の筐体の内部を示しており、当該筐体内部に、前記コンバータ１１ａと、前記蓄電池本体１１ｂと、前記双方向インバータ１１ｃとが設けられている。そして、前記双方向インバータ１１ｃに制御回路１１ｄが付属されている。
また、当該回路には複数のリレーや複数のトランジスタＴ１〜Ｔ６、コンデンサＣ１、コイルＣ２、フィルタＦ１，Ｆ２等が組み込まれており、リレーの切り替えを適宜行うことによって、直流電力と交流電力との双方向の変換を行えるようになる。
【００３２】
また、前記太陽電池アレイ１０と前記蓄電池本体１１ｂとは、前記コンバータ１１ａを介して前記筺体内部で並列に接続されている。
これら太陽電池アレイ１０と蓄電池本体１１ｂとは、コンバータ１１ａを介して筺体内部で並列に接続される箇所は、前記フィルタＦ１よりも蓄電池本体１１ｂ側の当該蓄電池本体１１ｂに近い位置に配置されている。
【００３３】
前記双方向インバータ１１ｃは、チョッパ１１ｅと、インバータ１１ｆとを有する。
すなわち、チョッパ１１ｅは、フィルタＦ１よりも分電盤２２側に位置し、トランジスタＴ１，Ｔ２やコンデンサＣ１、コイルＣ２等を含む領域を指している。インバータ１１ｆは、フィルタＦ２よりも蓄電池本体１１ｂ側に位置し、トランジスタＴ３〜Ｔ６を含む領域を指している。
【００３４】
チョッパ１１ｅは、前記蓄電池本体１１ｂの放電時においては、前記太陽電池アレイ１０や前記蓄電池本体１１ｂから当該チョッパ１１ｅに入力した入力電力（太陽電池アレイ１０にとっては出力電力）を出力電力に変換するものである。具体的には、前記太陽電池アレイ１０や前記蓄電池本体１１ｂを、出力（電路）をトランジスタＴ１，Ｔ２のスイッチング素子でオン（閉）・オフ（開）することによって太陽電池アレイ１０や蓄電池本体１１ｂの出力電圧（チョッパ１１ｅにとっては入力電圧）を昇圧し、昇圧後の電圧を出力する。
一方、例えば深夜電力等を前記蓄電池本体１１ｂに充電する際おいて、チョッパ１１ｅは、分電盤２２側から当該チョッパ１１ｅに入力した入力電力を前記蓄電池本体１１ｂへの出力電力に変換する。そして、出力（電路）をスイッチング素子でオン（閉）・オフ（開）することによって分電盤２２の出力電圧を降圧し、降圧後の電圧を出力する。
【００３５】
インバータ１１ｆは、前記蓄電池本体１１ｂの放電時においては、トランジスタＴ３〜Ｔ６のスイッチング素子をオン（閉）・オフ（開）することによって、前記コンバータ１１ａによって直流電力となった電力を交流電力に変換する。
一方、例えば深夜電力等を前記蓄電池本体１１ｂに充電する際おいて、インバータ１１ｆは、トランジスタＴ３〜Ｔ６のスイッチング素子をオン（閉）・オフ（開）することによって、前記分電盤２２からの交流電力を直流電力に変換する。
【００３６】
そして、前記制御回路１１ｄによって電圧や電力、電流を監視し、通常時にはその結果を前記表示装置２３に送信し、住宅全体の電力使用量等を考慮した上で、前記表示装置２３による前記蓄電池本体１１ｂの充放電制御が行われるようになっている。
停電時には、初期段階では前記表示装置２３に通電がなされないため、前記蓄電池システム１１は、前記制御回路１１ｄの制御に基づいて停電時の充放電を開始する。
具体的には、前記制御回路１１ｄは、前記コンバータ１１ａの監視・制御を行っている。この制御回路１１ｄが稼働するための電源は前記太陽電池アレイ１０で発電された電力を利用して行われる。
そして、この制御回路１１ｄは前記コンバータ１１ａに対して、運転・停止の指示をしたり、停電時に前記太陽電池アレイ１０から制御回路１１ｄに対して発電電力の出力を指示したりする。また、前記太陽電池アレイ１０のパワーコンディショナー１０ａと前記コンバータ１１ａとの間の通電状態が正常であるか、異常であるかを常時モニタリングしている。
したがって、通常時は、この制御回路１１ｄによって上記のモニタリングを行ったり、宅内における電力使用量と前記蓄電池本体１１ｂの蓄電量等に応じて前記コンバータ１１ａの運転・停止の指示を行ったりする。
一方、停電時には、前記コンバータ１１ａに対して前記太陽電池アレイ１０から制御回路１１ｄに対して発電電力の出力を指示し、停電時であっても宅内への電力の供給が途切れないようにする。
【００３７】
なお、図示はしないが、本実施例１の電力システムに備えられた分電盤２２が、系統電源４２と前記蓄電池システム１１との間に設けられ、停電時に開放されるブレーカーを有するものとしてもよい。
そして、当該ブレーカーの開放時において前記蓄電池システム１１と前記重要負荷系統１５とが接続されるようにしてもよい。
すなわち、本実施例１の電力システムを、太陽電池アレイ１０と、前記太陽電池アレイ１０による発電電力を充電する蓄電池システム１１と、前記蓄電池システム１１に接続される宅内の分電盤２２と、停電時における宅内の重要負荷系統１５と、を備え、前記太陽電池アレイ１０で発電した電力を、前記蓄電池システム１１を経由してから前記分電盤２２または前記重要負荷系統１５へと供給するものとし、前記分電盤２２が、系統電源４２と前記蓄電池システム１１との間に設けられ、停電時に開放されるブレーカーを有し、当該ブレーカー２２ｃの開放時において前記蓄電池システム１１と前記重要負荷系統１５とが接続される。
【００３８】
本実施例によれば、前記太陽電池アレイ１０と、前記蓄電池システム１１と、前記分電盤１３とが、前記太陽電池アレイ１０による発電電力が前記蓄電池システム１１を経由する並び順に直列的に接続されているので、前記太陽電池アレイ１０で発電した電力を、前記蓄電池システム１１を必ず経由してから前記分電盤１３へと供給することができる。これによって、前記蓄電池システム１１に発電電力を充電しながら前記分電盤１３に発電電力を供給できるので、通常時であっても停電時であっても発電電力を充電でき、急な曇天等により停電してしまうことを防ぐことができるとともに、昼間充電により夜間の電力使用も可能となる。
【００３９】
また、前記太陽電池アレイ１０で発電し、前記パワーコンディショナー１０ａを介して供給される交流電力を前記コンバータ１１ａによって直流電力に変換して前記蓄電池本体１１ｂに充電することができる。また、前記蓄電池本体１１ｂは、前記双方向インバータ１１ｃによって前記分電盤１３と接続されることによって、充電した電力を前記分電盤１３側に放電できるとともに、前記分電盤１３側から安価な深夜電力を充電することができる。
【００４０】
（実施例２）
次に、電力システムの第２の実施例について説明する。
本実施例の電力システムは、図６〜図１１に示すように、前記太陽電池アレイ１０と、前記太陽電池アレイ１０による発電電力を充電する前記蓄電池システム１２と、前記蓄電池システム１２に接続される前記分電盤２２と、停電時における宅内の重要負荷系統１５と、を備え、前記太陽電池アレイ１０で発電した電力を、前記蓄電池システム１２を経由してから前記分電盤２２または前記重要負荷系統１５へと供給している。
前記分電盤２２は、系統電源４２と前記蓄電池システム１２との間に設けられ、停電時に開放されるブレーカー２２ｃを有する。
そして、前記ブレーカー２２ｃの開放時において前記蓄電池システム１２と前記重要負荷系統１５とが接続されている。
また、本実施例においては、前記蓄電池システム１２が前記分電盤２２に接続されている。また、この蓄電池システム１２は、前記重要負荷分電盤１３に対しても接続されている。
【００４１】
前記蓄電池システム１２は、図６等に示すように、蓄電池本体１２ｂと、当該蓄電池本体１２ｂと、前記分電盤２２および前記重要負荷系統１５とに接続され、直流電力と交流電力との双方向の変換を行う双方向インバータ１２ｃと、を有する。
また、前記双方向インバータ１２ｃは、前記太陽電池アレイ１０に付属するパワーコンディショナー１０ａに接続されている。
すなわち、前記太陽電池アレイ１０で発電し、前記パワーコンディショナー１０ａを介して供給される交流電力を前記双方向インバータ１２ｃによって直流電力に変換して前記蓄電池本体１２ｂに充電することができる。
なお、前記双方向インバータ１２ｃは、前記蓄電池本体１２ｂに付属するパワーコンディショナーとして機能するものとなる。
【００４２】
前記双方向インバータ１２ｃは、前記太陽電池アレイ１０に付属する前記パワーコンディショナー１０ａと前記蓄電池本体１２ｂとの間に設けられる。
また、この双方向インバータ１２ｃは、前記蓄電池本体１２ｂと、前記分電盤２２または前記重要負荷分電盤１３との間に設けられる。
すなわち、前記太陽電池アレイ１０で発電された電力が前記分電盤２２または前記重要負荷分電盤１３に供給される間には、発電電力を前記蓄電池本体１２ｂに一旦充電してから、充電休止後、前記双方向インバータ１２ｃを介して前記分電盤２２または前記重要負荷分電盤１３に供給する第１ルートと、発電電力を前記蓄電池本体１２ｂを介さずに、前記双方向インバータ１２ｃを介して前記分電盤２２または前記重要負荷分電盤１３に供給する第２ルートとが形成されることになる。
したがって、通常時、停電時の双方において、前記第１ルートと前記第２ルートを選択的に利用して発電電力の供給を行うことができる。
【００４３】
停電時において、前記第１ルートと前記第２ルートの選択は、前記双方向インバータ１２ｃに付属される制御回路（図示せず）によって行われるものとする。
本実施の形態においては、この制御回路によって、前記第１ルートと前記第２ルートとを短時間で切り替えるような制御が行われる。これによって、前記蓄電池本体１２ｂによる充放電が短時間で繰り返し行われることになり、発電電力を充電しながら前記分電盤２２または前記重要負荷分電盤１３に発電電力を供給できることになる。
なお、この制御回路が稼働するための電源は前記太陽電池アレイ１０で発電された電力を利用して行われる。
通常時には、住宅全体の電力使用量等を考慮した上で、前記表示装置２３による前記第１ルートと前記第２ルートの選択が行われる。
【００４４】
図７は蓄電池システム１２の回路の一例を示す図である。
すなわち、前記蓄電池システム１２の筐体の内部を示しており、当該筐体内部に、前記蓄電池本体１２ｂと、前記双方向インバータ１２ｃとが設けられている。
また、当該回路には、複数のリレーや複数のトランジスタＴ１〜Ｔ６、コンデンサＣ１、コイルＣ２、フィルタＦ１，Ｆ２等が組み込まれており、リレーの切り替えを適宜行うことによって、直流電力と交流電力との双方向の変換を行えるようになる。
さらに、前記双方向インバータ１２ｃは、チョッパ１２ｅと、インバータ１２ｆとを有する。これらチョッパ１２ｅおよびインバータ１２ｆは、上述のチョッパ１１ｅおよびインバータ１１ｆと略同様の機能を有している。
【００４５】
そして、前記図示しない制御回路によって電圧や電力、電流を監視している。通常時にはその監視結果を前記表示装置２３に送信し、住宅全体の電力使用量等を考慮した上で、前記表示装置２３による前記蓄電池本体１２ｂの充放電制御が行われる。
停電時には、初期段階では前記表示装置２３に通常通りの通電がなされないため、前記表示装置２３を手動で自立運転に切り替えたり、前記蓄電池システム１２の前記制御回路の制御に基づいて停電時の充放電を開始したりする。
【００４６】
より詳細に見ると、図７においては、前記双方向インバータ１２ｃは、前記太陽電池アレイ１０に付属する前記パワーコンディショナー１０ａと前記蓄電池本体１２ｂとの間に設けられる。また、この双方向インバータ１２ｃは、前記蓄電池本体１２ｂと前記重要負荷系統１５との間に設けられる。
そして、図７に示すように、前記蓄電池システム１２内において前記太陽電池アレイ１０からの発電電力が流れる導線は、前記双方向インバータ１２ｃ側と前記重要負荷系統１５側とに分岐している。
したがって、前記太陽電池アレイ１０からの発電電力を、前記蓄電池本体１２ｂに充電する前に、前記重要負荷系統１５に供給することができるので、前記太陽電池アレイ１０からの発電電力を、優先度の高い重要負荷に対して確実に供給することができる。
なお、前記太陽電池アレイ１０からの発電電力が流れる導線上には複数のリレーが設けられている。さらに、分岐した後の導線上にも複数のリレーが設けられており、これら複数のリレーを適宜開閉することによって、発電電力の流れをコントロールすることができる。
【００４７】
図８は停電時における太陽電池アレイ１０による発電電力と宅内で使用される電力との関係を示すグラフである。
すなわち、本実施例、延いては本実施の形態においては、停電時に、宅内における電力使用量を監視し、太陽電池アレイ１０から蓄電池本体１２ｂに充電される充電電力との和がＰ［ＶＡ］となるように充電電力を自動で調整している。
これに伴い、図７に示すように、前記重要負荷系統１５につながる導線に、家庭内負荷への電流量を監視するための電流センサー１６が取り付けられている。また、前記蓄電池システム１２の筺体内部の導線には、家庭内負荷への電圧量を監視するための電圧センサー１７が取り付けられている。
そして、前記電流センサー１６と前記電圧センサー１７とから得られた数値によって、充電電力を自動制御できれば、停電時に充電電力を手動で操作する必要がなくなるので、停電時の居住者への負担を軽減できる。
【００４８】
図９は、停電時の電力システムの動作の概略を示す図である。
すなわち、前記重要負荷系統１５と、前記分電盤２２および前記蓄電池システム１２との間に非常時切替ボックス１８が設けられている。
このような非常時切替ボックス１８は、通常時に前記分電盤２２と前記蓄電池システム１２とを接続し、停電時に前記蓄電池システム１２と前記重要負荷系統１５とを接続するための切替スイッチ１８ａを有する。
【００４９】
より詳細に説明すると、前記非常時切替ボックス１８は、前記蓄電池システム１２と前記分電盤２２との間に設けられ、さらに、前記蓄電池システム１２と前記重要負荷系統１５との間に設けられ、さらに、前記分電盤２２と前記重要負荷系統１５との間に設けられている。
前記切替スイッチ１８ａは、前記蓄電池システム１２側からの導線の延長線上にあり、前記分電盤２２側と、前記重要負荷系統１５側とに通電を切り替えることができる。
また、本実施例の切替スイッチ１８ａは、ブレーカーによって構成されており、手動または自動で切り替え操作ができるようになっている。
【００５０】
本実施例において、停電が発生した場合には、まず前記表示装置２３を自立運転に切り替えるようにする。この動作は手動で行われる。
表示装置２３が自立運転に切り替わったら、前記蓄電池システム１２の双方向インバータ１２ｃが自動で自立運転に切り替わる。
その後、前記非常時切替ボックス１８の切替スイッチ１８ａを操作して、前記蓄電池システム１２と前記重要負荷系統１５とを接続する。
以上のような手順で適宜切り替え操作を行えば、停電中であっても、前記蓄電池システム１２に充電をし、なおかつ、必要な時に重要負荷系統１５に充電電力の供給を行うことができる。さらに、前記表示装置２３が稼働していれば、充放電制御を自動で行うこともできる。
【００５１】
停電時の充電制御において蓄電電力量は予めユーザーによって設定される。すなわち、図１０に示すように、前記太陽電池アレイ１０からの発電電力を前記蓄電池システム１２に充電できる時間帯は日中であり、その時間帯において設定値よりも多く発電できた分だけ充電を行うように設定されている。
本実施例において、前記設定値は、例えば１ｋＷに設定されており、１ｋＷ以上の発電電力が前記蓄電池システム１２に充電され、１ｋＷ以下の発電電力は前記重要負荷系統１５へと供給される。
【００５２】
なお、前記パワーコンディショナー１０ａからの交流電力の出力値も、予めユーザーによって設定される。ここで、前記パワーコンディショナー１０ａからの交流電力の出力値が設定値よりも小さい場合は、蓄電池システム１２への充電は開始されない。
また、蓄電残量（ＳＯＣ値）が５％以下の場合、前記蓄電池本体１２ｂの劣化を防ぐため、補充充電を開始するように設定されている。そして、蓄電残量が１００％に到達した場合には充電を停止する。
【００５３】
停電時の放電制御においては、前記双方向インバータ１２ｃが自立運転に切り替わった場合に放電を開始するように設定されている。
また、蓄電残量が５％以下になるまで放電を行い、５％以下となったら、上述のように充電を開始する。
【００５４】
次に、停電時の電力システムの挙動について、より詳細に説明する。
図１１は、停電時の制御フローおよび機器挙動を示している。
系統電源４２が停電した時は、それまで通電状態となっていた宅内標準負荷系統、重要負荷系統１５、各種連携機器等が停電・停止状態となる。
なお、前記蓄電池システム１２の弱電出力は、停電時であっても常に通電状態（ＤＣ１６Ｖ）となっている。また、前記双方向インバータ１２ｃも、停電時であっても常に作動状態となっている。
【００５５】
続いて、前記双方向インバータ１２ｃの制御回路で停電を検知・判定したら、前記表示装置２３が、前記太陽電池アレイ１０からの発電電力および前記蓄電池システム１２からの充電電力を受電し、表示状態を維持できるようになっている。
また、この時に、前記蓄電池システム１２用の拡張ＥＣＵ（拡張器３５）も同様に、前記太陽電池アレイ１０からの発電電力および前記蓄電池システム１２からの充電電力を受電して通電状態を維持できるようになっている。
【００５６】
続いて、前記双方向インバータ１２ｃが強電自立出力を開始されたら、前記非常時切替ボックス１８の切替スイッチ１８ａを切り替えて、前記蓄電池システム１２と前記重要負荷系統１５とを接続する。これによって、重要負荷系統１５が通電状態となる。
その後は、コンバータに通電、続いてハブ３３に通電が開始される。ハブ３３に通電が開始されると、前記蓄電池システム１２用の以外の拡張器３４，３６が作動を開始する。
そして、表示装置２３と拡張器３４，３５との通信が復帰し、蓄電残量等の表示が再開される。
【００５７】
以上のような本実施例によれば、前記ブレーカー２２ｃが開放されず導電状態である場合には、前記太陽電池アレイ１０からの発電電力を、前記蓄電池システム１２に充電しながら前記分電盤２２側に供給することができる。さらに、前記ブレーカー２２ｃの開放時において前記蓄電池システム１２と前記重要負荷系統１５とが接続されているので、停電時には、前記太陽電池アレイ１０からの発電電力を、前記蓄電池システム１２に充電しながら前記重要負荷系統１５に供給することができる。これによって、通常時であっても停電時であっても発電電力を前記蓄電池システム１２に継続的に充電できるので、長期停電時であっても電力を継続的に供給することが可能となる。
【００５８】
また、前記蓄電池システム１２内において前記太陽電池アレイ１０からの発電電力が流れる導線が、前記双方向インバータ１２ｃ側と前記重要負荷系統１５側とに分岐しているので、前記太陽電池アレイ１０からの発電電力を、前記蓄電池本体１２ｂに充電する前に、前記重要負荷系統１５に供給することができる。
これによって、前記太陽電池アレイ１０からの発電電力を、優先度の高い重要負荷に対して確実に供給することができる。さらに、重要負荷への電力供給と同時に、前記蓄電池本体１２ｂへの充電も継続的に行うことができるので、太陽電池アレイ１０による発電が行われない時でも、前記蓄電池本体１２ｂから重要負荷への電力供給を行うことができる。
【００５９】
また、前記重要負荷分電盤１３は、通常時に当該重要負荷分電盤１３と前記分電盤２２とを接続し、停電時に当該重要負荷分電盤１３と前記蓄電池システム１２とを接続するためのリレー１３ａを有するので、前記重要負荷分電盤１３は、停電時に前記リレー１３ａの切り替えが行われることによって前記蓄電池システム１２からの電力を受給することができる。
これによって、前記蓄電池システム１２からの充電電力を、優先度の高い重要負荷に対して確実に供給することができる。
【００６０】
（実施例３）
次に、電力システムの第３の実施例について説明する。
本実施例においては、図１２に示すように、前記蓄電池システム１１または前記蓄電池システム１２が、電気で駆動する車両１４に搭載された車両用蓄電池１４ａと、絶縁トランス１４ｂを介して接続されている。
なお、前記蓄電池システム１１または前記蓄電池システム１２と、前記車両用蓄電池１４ａとの間には、これら蓄電池システム１１，１２と車両用蓄電池１４ａとを接続する図示しない電線が設けられているものとする。
【００６１】
前記車両１４は、住宅の敷地内の駐車場に駐車されるものであり、駐車場には前記充電機器２７が設置されている。
この充電機器２７は、前記ホームエネルギーマネージメントシステム２０に組み込まれており、前記表示装置２３によって車両１４の充電状態の確認や充電開始・停止等の制御を行うことができる。また、この充電機器２７の電源は前記分電盤２２とされている。
【００６２】
また、前記充電機器２７は、前記車両１４の車種に応じて決められた充電方式に設定されており、本実施例においては、ＩＥＣ規格に基づいて製造された充電機器が採用されている。
また、充電機器２７は、充電ケーブル２７ａを備える。また、この充電ケーブル２７ａの先端部には、前記車両１４の受電口に挿入される充電コネクタが取り付けられている。
【００６３】
前記絶縁トランス１４ｂは、入力側の線と出力側の線とが電気的に絶縁状態にあり、分離しているトランスを指し、入力側の電気は電磁誘導によって出力側へ伝達されるように構成されている。
すなわち、この絶縁トランス１４ｂは、前記蓄電池システム１１，１２と車両用蓄電池１４ａとを接続する電線に対して設けられている。
これによって、前記車両１４の車両用蓄電池１４ａから前記蓄電池システム１１，１２に対して充電した電力を、感電等を防止しつつ供給することができる。
【００６４】
なお、図示はしないが、前記絶縁トランス１４ｂを、前記車両用蓄電池１４ａと前記分電盤２２との間の電線の経路の途中に設けて、前記車両用蓄電池１４ａに充電された電力を、当該車両用蓄電池１４ａから絶縁トランス１４ｂおよび分電盤２２を介して前記蓄電池システム１１，１２側に供給してもよいものとする。
【００６５】
なお、本実施の形態においては、前記太陽電池アレイ１０と、前記蓄電池システム１１（１２）と、前記重要負荷分電盤１３とが、前記太陽電池アレイ１０による発電電力が前記蓄電池システム１１（１２）を経由する並び順となるように直列的に接続されているものとしたが、前記重要負荷分電盤１３に代えて前記分電盤２２を採用してもよいものとする。すなわち、停電時のような非常時だけではなく、通常時であっても、本実施の形態の電力システムを採用できる。
【００６６】
なお、前記蓄電池本体１１ｂ，１２ｂとしては、例えば鉛蓄電池やリチウムイオン二次電池等を採用することができるが、本実施の形態においては、特にリチウムイオン二次電池が好適に採用されているものとする。
【００６７】
本実施例によれば、前記蓄電池システム１１（１２）は、電気で駆動する車両１４に搭載された車両用蓄電池１４ａと、絶縁トランス１４ｂを介して接続されているので、瞬間的な高電圧の発生を防止したり、感電を防止したりしながら安定した車両発電を充放電することができる。
そして、前記太陽電池アレイ１０による発電電力だけでなく、前記車両用蓄電池１４ａに充電された蓄電電力を前記分電盤１３に供給できるので、安定した電力供給が可能となる。
【００６８】
＜蓄電池の設置構造＞
次に、以上のようなホームエネルギーマネージメントシステム２０における前記蓄電池システム１１（１２）の設置構造について説明する。
【００６９】
本実施の形態の蓄電池システム１１の設置構造は、図１３〜図１５に示すように、住宅等の建物２１内に蓄電池システム１１が設置されてなる。
また、前記蓄電池システム１１は、上下複数段に積載可能に構成された前記蓄電池本体１１ｂを備える。
また、前記建物２１内には、床４３ａ上であって、かつ建物２１内の居室２１ａと同等の環境に設定された前記蓄電池設置用の宅内設置部４３が設けられている。
また、前記宅内設置部４３は、前記蓄電池本体１１ｂを上下方向に複数段積載可能な高さで、かつ前記蓄電池システム１１を複数列並設可能な面積に設定されており、前記宅内設置部４３の外壁４３ｃには、前記蓄電池システム１１から発生するガスを検知するガスセンサー４４ａに接続された換気装置４４が設けられている。
【００７０】
前記建物２１は、上述のように、壁、床および天井等によって複数のエリア（例えば、居間、台所、食堂、浴室、玄関、便所、寝室、和室、洋室、廊下、階段室、庭、駐車場等）に区画されている。
本実施の形態においては、図１３に示すように、建物２１の２階に居室２１ａと、蔵型収納室２１ｂとが配置されている。
また、前記床４３ａは建物２１の２階の床を指しており、前記外壁４３ｃは建物２１の外壁のうち、前記蔵型収納室２１ｂ部分の外壁を指している。
【００７１】
前記居室２１ａは、車庫や納屋など屋外と同環境な場所ではなく、洗面所や脱衣所など湿度の高い場所ではなく、屋根裏や何度、押入れなどの密閉空間で夏場の温度上昇の可能性のある場所ではなく、台所など油蒸気が存在する場所ではなく、あくまで居住者が普段いる場所であり、例えば建物２１内の居間や寝室、子供部屋などを指している。
【００７２】
また、前記蔵型収納室２１ｂは、前記建物２１内に大型収納区画を形成するためのものであり、前記建物２１内の床４３ａと、当該床４３ａの一部の上方に設けられた中間床４３ｂとの間が、当該蔵型収納室２１ｂとされている。
また、蔵型収納室２１ｂは、前記居室２１ａと隣接配置され、前記宅内設置部４３を含んで構成されている。
【００７３】
さらに、本実施の形態の蔵型収納室２１ｂの天井高は０．８ｍ〜１．４ｍの範囲で適宜変更可能である。この０．８ｍ〜１．４ｍの天井高とは、人が前記蔵型収納室２１ｂに入って、何とか作業ができる最低限の高さを確保するための高さ範囲であり、かつ、このように天井高を必要最小限に抑えることで、建物２１の高さが高くなることによって隣接する建物に及ぼす日照減少等の影響を極力少なくすることができる高さ範囲である。
また、蔵型収納室２１ｂの出入口は、前記居室２１ａ側の壁に設けられており、物品の収納や、前記蓄電池システム１１の設置の際は、この出入口が使用される。
【００７４】
前記換気装置４４は、いわゆる換気扇であり、前記外壁４３ｃに形成された専用の開口部に設置されている。この換気装置４４は稼働することで、前記蔵型収納室２１ｂ内から外部へと排気できるように構成されている。
また、前記ガスセンサー４４ａは、前記表示装置２３を介して前記換気装置４４に接続されている。ガスセンサー４４ａは、前記蓄電池システム１１からの発生ガスを検知したら即座に前記表示装置２３へと信号を送る。そして、前記表示装置２３は前記換気装置４４へと稼働を指示する信号を即座に送り、換気装置４４を稼働させる設定となっている。
なお、発生ガスの種類と割合は、ＣＯ２＝９０％、ＣＯ＝９％、ＣＨ３＝１％となっている。このような発生ガスは、前記換気装置４４によって換気できればよい。
【００７５】
前記宅内設置部４３は、前記蔵型収納室２１ｂ内スペースの一画を指しており、上述のように前記蓄電池本体１１ｂを上下方向に複数段積載可能な高さで、かつ前記蓄電池システム１１を複数列並設可能な面積に設定されている。
前記蓄電池本体１１ｂを上下方向に複数段積載可能な高さとは、前記蔵型収納室２１ｂの高さ０．８ｍ〜１．４ｍの範囲である。さらに、前記蓄電池システム１１を複数列並設可能な面積とは、前記蓄電池システム１１を並べて設置した際の幅方向の長さおよび奥行き方向の長さから求められる数値である。
なお、筺体の大きさ等も考慮に入れることが望ましい。
【００７６】
また、この宅内設置部４３には、前記蓄電池システム１１を支持する支持台４６が設置されている。この支持台４６は前記宅内設置部４３の面積内に納まるように設定されている。さらに、この支持台４６の高さも、前記蓄電池システム１１の高さと前記蔵型収納室２１ｂの高さを考慮したものとなっている。
また、前記蓄電池システム１１を複数列並設する際には、前記支持台４６も、前記宅内設置部４３に複数並設される。
なお、前記支持台４６は、図１５に示すように脚４６ａが取り付けられており、前記蓄電池システム１１と床４３ａとの間に隙間を形成できるようにしてもよい。
また、前記支持台４６が固定される部位（すなわち、前記床４３ａ）の下面側には、この支持台４６や前記蓄電池システム１１自体を強固に設置固定するための下地材等を設けるようにしてもよい。
【００７７】
前記蓄電池システム１１は、図１４および図１５に示すように、上下複数段に積載された前記蓄電池本体１１ｂと、前記蓄電池本体１１ｂと宅内の分電盤２２（１３）との間に接続され、直流電力と交流電力との双方向の変換を行う双方向インバータ１１ｃと、を有する。
本実施の形態の双方向インバータ１１ｃは、前記蓄電池システム１１とは別体のものとして、前記蔵型収納室２１ｂ内の壁に取付固定されている。
ただし、この双方向インバータ１１ｃは、前記蓄電池本体１１ｂと上下に積載可能に構成されている。したがって、図１５に示すように、前記蓄電池本体１１ｂとともに複数段に積載してもよいものとする。
【００７８】
前記蓄電池本体１１ｂは、直方体状に形成されており、複数段に積載しやすくなっている。前記双方向インバータ１１ｃも、前記蓄電池本体１１ｂと上下に積載することを考慮し、直方体状に形成されている。
なお、本実施の形態においては、前記蓄電池本体１１ｂは、１ｋＷｈ電池とされており、最大高として４段積みできる。したがって、４段の蓄電池本体１１ｂ…で、４ｋＷｈの電力量を充電可能となっている。
また、このような４段積みの蓄電池本体１１ｂ…からなる蓄電池システム１１のサイズは、本実施の形態においては、前記支持台４６を含めた高さが７５０ｍｍ、幅３４０ｍｍ、奥行き４４０ｍｍに設定されている。
【００７９】
４段積みの蓄電池本体１１ｂ…からなる蓄電池システム１１を複数列（２列）並設した際のサイズは、幅が倍の６８０ｍｍに設定されている。さらに、その充電電力量も、倍の８ｋＷｈに設定されている。
すなわち、前記蓄電池システム１１は、１ｋＷｈ電池を、まずは上下方向に積載することによって構成されており、宅内設置部４３の高さに応じて複数列に並べて設置される。
【００８０】
また、以上のような蓄電池システム１１は、図１５に示すように、前記支持台４６上に前記蓄電池本体１１ｂ…が複数段積載され、その上に前記双方向インバータ１１ｃが積載され、さらにその上に天板４７が積載されるようにしてもよい。
また、このように上下方向に積載された各部材を覆うようにして前記筺体が設けられるようになっている。
【００８１】
前記双方向インバータ１１ｃは、図１６に示すように、前記複数列の蓄電池１１，１１の間で共用化されている。これを実現するために、前記双方向インバータ１１ｃには、前記複数列の蓄電池１１，１１の間で、当該双方向インバータ１１ｃとの接続を切り替えるリレー４５が設けられている。
このリレー４５の切り替え動作は、前記双方向インバータ１１ｃ内の制御回路１１ｄによる自動制御で行われてもよいし、前記表示装置２３による自動制御で行われてもよいし、手動で行われてもよいものとする。
【００８２】
なお、以上のような蓄電池システム１１を建物２１内に設置する際に考慮すべき事項としては、例えば以下のものが挙げられる。
すなわち、前記筺体を金属筺体とし、Ｄ種接地工事を行う。
また、地震等による前記蓄電池システム１１の転倒を防ぐために、建物２１自体に地震対策を施す。設置階を１階とする場合は、前記支持台４６や前記蓄電池システム１１自体を固定するための基礎を立ち上げ、この基礎に対して前記支持台４６や前記蓄電池システム１１自体を固定する。
また、蓄電池システム１１の絶縁対策として、ポリカーボネートで前記蓄電池本体１１ｂを覆う。
【００８３】
＜蓄電池の制御システム＞
次に、以上のような電力システム、延いてはホームエネルギーマネージメントシステム２０における前記蓄電池システム１１（１２）の制御システムについて説明する。
なお、以下の説明においては、上述の電力システムの実施例１に即する。
【００８４】
本実施の形態の蓄電池システム１１の制御システムは、前記太陽電池アレイ１０と、前記系統電力４２に接続された前記分電盤２２と、前記太陽電池アレイ１０による発電電力または前記分電盤２２側から供給される系統電力４２を充電する蓄電池システム１１と、を備える前記電力システムに適用されるものである。
そして、この蓄電池システム１１の制御システムは、第一充電モードＭ１と、第二充電モードＭ２と、を有する。
【００８５】
前記第一充電モードＭ１は、図１７，図１８に示すように、予め設定された充電時間帯に系統電力４２を前記蓄電池システム１１に充電し、予め設定された放電時間帯に充電電力を前記分電盤２２に接続される家庭内負荷側に放電し、これらの充放電時間帯の間に前記蓄電池システム１１の充放電を休止する設定となっている。
【００８６】
前記第二充電モードＭ２は、図１９〜図２１に示すように、昼間の時間帯の余剰な前記太陽電池アレイ１０の発電電力を前記蓄電池システム１１に充電し、その余剰な発電電力を貯めて前記蓄電池システム１１が満充電になってから、前記蓄電池システム１１から充電電力を前記分電盤２２に接続される家庭内負荷側に放電する設定となっている。
【００８７】
まず、図１７，図１８等を参照して、前記第一充電モードＭ１について、より詳細に説明する。
前記電力システムにおいて第一充電モードＭ１が選択されると、予め設定された充電時間帯に、前記系統電力４２の前記蓄電池システム１１への充電が行われる。なお、モード選択は、図２２に示すように、前記表示装置２３の表示部２３ａに表示された「おやすみ充電（夜間）」オブジェクト４８を操作部２３ｂで選択することによって行われる。
さらに、第一充電モードＭ１作動中は、図２３に示すような、第一充電モードＭ１を表す画面が表示される。図２３には、前記建物２１を表す建物オブジェクト５８や前記蓄電池システム１１を表す蓄電池オブジェクト５９が含まれている。また、操作部２３ｂには、前記蓄電池システム１１を自動運転させるための「運転」アイコン６０や、前記蓄電池システム１１を手動運転させるための「放電」アイコン６１・「蓄電」アイコン６２等が適宜表示されている。
ここで、予め設定された充電時間帯とは、一日のうちで電力使用料（電力単価）が安価な時間帯を指しており、本実施の形態においては深夜電力の時間帯となっている。
より具体的には、「２３：００（午後１１時）〜７：００（午前７時）」が本実施の形態における充電時間帯とされている。
【００８８】
また、第一充電モードＭ１においては、予め設定された放電時間帯に、充電電力の前記家庭内負荷側への放電が行われる。
ここで、予め設定された放電時間帯とは、一日のうちで電力使用料（電力単価）が高価な時間帯を指しており、本実施の形態においては昼間の時間帯となっている。
より具体的には、「９：００（午前９時）〜２２：００（午後１０時）」が本実施の形態における放電時間帯とされている。
【００８９】
また、第一充電モードＭ１においては、充放電時間帯の間、すなわち充電時間帯と放電時間帯との間に、前記蓄電池システム１１の充放電を休止している。当該充放電を休止する時間帯を、以下、休止時間帯と称する。
本実施の形態における休止時間帯は、前記充電時間帯と前記放電時間帯との合間の時間帯を指している。
より具体的には、「７：００（午前７時）〜９：００（午前９時）」と、「２２：００（午後１０時）〜２３：００（午後１１時）」が本実施の形態における二つの休止時間帯とされている。
【００９０】
以上のような時間帯に設定された充電時間帯、放電時間帯、休止時間帯によれば、安価な深夜電力を前記蓄電池システム１１に充電でき、電力単価の高い昼間に充電電力を放電できる。
そして、前記充電時間帯と前記放電時間帯との間に、前記蓄電池システム１１の充放電を休止するので、休みなく前記蓄電池システム１１を使い続けることがなくなる。
【００９１】
なお、以上の各種時間帯は、前記蓄電池本体１１ｂとしてリチウムイオン二次電池を採用した点も加味された上で設定されている。すなわち、リチウムイオン二次電池の場合、例えば鉛蓄電池よりも放電時間が長いため、放電時間帯も長く設定される。ただし、本実施の形態の蓄電池本体１１ｂをリチウムイオン二次電池のみ限定するものではなく、適宜変更可能であることは言うまでもない。
【００９２】
また、前記第一充電モードＭ１の前記放電時間帯では、前記家庭内負荷における消費電力が、前記双方向インバータ１１ｃの出力最小値を下回った場合に前記蓄電池システム１１の放電を停止する設定となっている。
前記双方向インバータ１１ｃの出力最小値は、本実施の形態においては「１５０Ｗ」に設定されている。したがって、前記家庭内負荷の消費電力が、例えば最小限の待機電力のみであり、「１５０Ｗ」以下である場合には、前記双方向インバータ１１ｃからの出力が行えない状態となる。このため、前記家庭内負荷における消費電力が、前記双方向インバータ１１ｃの出力最小値を下回った場合には、前記蓄電池システム１１の放電を停止する設定となっている。
【００９３】
なお、いわゆる制御のハンチングを防止するために、前記家庭内負荷における消費電力が、前記双方向インバータ１１ｃの出力最小値を下回り、前記蓄電池システム１１の放電が停止された場合には、少なくとも１０秒間は、前記蓄電池システム１１の放電運転を停止する。
【００９４】
本実施の形態の第一充電モードＭ１の制御は、前記表示装置２３によって行われており、図２４に示すように、充電時間帯（蓄電時間帯）の時間と、放電時間帯の時間とを予め設定しておき、この設定時間に基づいて制御が行われる。休止時間帯は、充電時間帯の時間と、放電時間帯との間の時間が自動的に設定される。
時間設定を行う際は、図２２に示す「時間帯設定」オブジェクト５０を選択して、図２４の画面を表示する。そして、上下の操作アイコン５２，５３を選択して、時間の設定を行うようにする。
また、上述のように、前記蓄電池本体１１ｂとしてリチウムイオン二次電池を採用する場合と、前記鉛蓄電池を採用する場合とでは放電時間の差があるため、前記表示装置２３に蓄電池の種類が登録された状態となっているものとする。
【００９５】
続いて、図１９〜図２１等を参照して、前記第二充電モードＭ２について、より詳細に説明する。
前記電力システムにおいて第二充電モードＭ２が選択されると、昼間の時間帯に、余剰な前記太陽電池アレイ１０の発電電力を前記蓄電池システム１１に充電することが行われる。さらに、その余剰な発電電力を貯めて前記蓄電池システム１１が満充電になってから、前記蓄電池システム１１から充電電力を前記分電盤２２に接続される家庭内負荷側に放電することが行われる。
すなわち、前記太陽電池アレイ１０の余剰電力を充電して家庭内で消費する、地産地消型の充電モードとされている。
なお、モード選択は、図２２に示すように、前記表示装置２３の表示部２３ａに表示された「おひさま充電（日中）」オブジェクト４９を操作部２３ｂで選択することによって行われる。
【００９６】
ここで、前記余剰な発電電力とは、前記太陽電池アレイ１０による発電電力（瞬時値）から、前記家庭内負荷における消費電力（瞬時値）を差し引いた電力を指している。
また、余剰ではない分の発電電力は、前記家庭内負荷側に供給されて消費される。
すなわち、前記太陽電池アレイ１０によって発電された電力は、前記蓄電池システム１１を通過して前記分電盤２２側へと供給される際に、前記家庭内負荷における消費電力量と同等の発電電力は前記分電盤２２側に供給され、余剰な分の発電電力が前記蓄電池システム１１の蓄電池本体１１ｂに供給されることとなる。
【００９７】
例えば曇天・雨天時などにおいて余剰分の発電電力が生じない場合は、前記蓄電池本体１１ｂ側への発電電力の供給は行われずに、前記分電盤２２側へと供給される。
この時、制御を行う上では前記余剰な発電電力（すなわち、充電電力）は「マイナス（−）値」とされている。
また、太陽光がない夜間においては、前記太陽電池アレイ１０は発電しないため、制御を行う上では、前記家庭内負荷における消費電力量がそのまま「マイナス値」の余剰な発電電力（すなわち、充電電力）として扱われることとなる。
【００９８】
また、余剰な発電電力の前記蓄電池システム１１への充電は、昼間であって、かつ前記家庭内負荷よりも前記太陽電池アレイ１０による発電電力が大きい場合に行われる。
ここで、前記昼間は、一年を一期目（例えば４月〜９月）と、二期目（例えば１０月〜３月）とに分けて、さらに、一期目の昼間の時間帯を「８：００（午前８時）〜１７：００（午後５時）」に設定し、二期目の昼間の時間帯を「９：００（午前９時）〜１６：００（午後４時）」に設定した、その時間帯を指しているものとする。
【００９９】
そして、余剰な発電電力によって前記蓄電池システム１１が満充電になった状態で、前記家庭内負荷が、前記太陽電池アレイ１０による発電電力よりも大きい場合に前記蓄電池システム１１から放電を行う。
なお、放電を行う時間帯は、特に設定されておらず、夜間に放電される場合も、昼間に放電される場合もある。
【０１００】
また、第二充電モードＭ２においては、ＳＯＣ（State Of Charge）が１００％、すなわち前記蓄電池システム１１が満充電になるまでは、前記蓄電池システム１１に充電された電力は放電されないように制御されている。
しかも、満充電となったら均等化を行い、その後放電を行うように設定されている（均等化に要する時間：２時間）。
また、太陽電池アレイ１０による発電量によっては、一日に充放電サイクルを２回行う場合もある。ただし、充電後は必ず均等化を行う。
【０１０１】
第二充電モードＭ２の詳細な制御方法は、以下の通りである。
余剰な発電電力の算出式は、
「太陽電池アレイ１０による発電電力（瞬時値）−家庭内負荷消費電力（瞬時値）」
である。
制御周期は、「１０分」である。すなわち、１０分ごとに、上記の算出式に基づく演算がなされる。
充電時制御は、図２０に示すように、上記の算出式により導き出される差分が
「差分＞５００Ｗ（ワット）」の時に充電が開始され、
「差分＜０Ｗ」の時に充電が停止される。
すなわち、家庭内負荷における消費電力よりも発電電力量の方が多く、余剰な発電電力が５００Ｗを超えたら充電が開始され、０Ｗとなったら充電が停止され、充電開始から充電停止までは、余剰な発電電力の充電が継続されるように設定されている。
【０１０２】
放電時制御は、昼間（一期目８：００〜１７：００、二期目９：００〜１６：００）において、上記の算出式により導き出される差分が
「差分＜−２００Ｗ（ワット）」の時に放電が開始され、
「差分＞５００Ｗ」の時に放電が停止される。
すなわち、昼間において、家庭内負荷における消費電力が、太陽電池アレイ１０による発電電力の量よりも２００Ｗ分多くなったら放電を開始し、家庭内負荷における消費電力よりも発電電力量の方が多く、余剰な発電電力が５００Ｗを超えたら放電が停止される。
【０１０３】
さらに、夜間（一期目１７：０１〜７：５９、二期目１６：０１〜８：５９）において、上記の算出式により導き出される差分が
「差分＜−２００Ｗ」の時に放電が開始され、
「差分＞−１５０Ｗ」の時に放電が停止される。
すなわち、夜間において、家庭内負荷における消費電力が、太陽電池アレイ１０による発電電力の量よりも２００Ｗ分多くなったら放電を開始し、家庭内負荷における消費電力が、太陽電池アレイ１０による発電電力の量よりも２００Ｗ分多い時点で、放電が停止される。
なお、夜間において放電が停止される数値「差分＞−１５０Ｗ」は、前記双方向インバータ１１ｃの出力最小値を考慮したものである。
【０１０４】
本実施の形態の第二充電モードＭ２の制御は、前記表示装置２３によって行われており、図２５に示すように、前記蓄電池システム１１の詳細を予め設定しておき、この設定に基づいて制御が行われる。
前記蓄電池システム１１の詳細の設定を行う際は、図２２に示す「備蓄量設定」オブジェクト５１を選択して、表示部２３ａに図２５の画面を表示する。そして、上下の操作アイコン５６，５７を選択して、ＯＶＲ（過電圧継電器）やＵＶＲ（不足電圧継電器）等を始めとする各種項目の整定値の変更を行える。さらに、画面には、本実施の形態の電力システムに組み込まれている蓄電池システム１１の電池接続状態を示すオブジェクト５４や、整定値を確定されるためのオブジェクト５５が含まれている。
操作部２３ｂには、「決定」アイコンや「戻る」アイコンが適宜表示されている。
【０１０５】
なお、以上のような第二充電モードＭ２においては、前記蓄電池システム１１に充電される電力は、前記太陽電池アレイ１０による発電電力から、前記家庭内負荷における消費電力の量を差し引いた分の余剰な発電電力とされていることから、前記家庭内負荷における消費電力を節約すればするほど、前記蓄電池システム１１への充電時間を短縮できたり、コストを低減させたりすることが可能となる。
【０１０６】
なお、前記第一充電モードＭ１において前記蓄電池システム１１から放電される充電電力は基本的には系統電力４２から供給された電力である。また、前記第二充電モードＭ２において前記蓄電池システム１１から放電される充電電力は基本的には前記太陽電池アレイ１０による発電電力である。しかしながら、前記蓄電池システム１１に電力が充電された状態で、前記第一充電モードＭ１と前記第二充電モードＭ２とを切り替えた場合は、直流電力である以外に差はない。
【０１０７】
なお、本実施の形態においては、説明の便宜上、前記蓄電池システム１１を例に挙げて説明したが、これに限られるものではなく、前記蓄電池システム１２を採用してもよいものとする。
【０１０８】
＜ホームエネルギーマネージメントシステムの詳細（表示装置）＞
次に、以上のようなホームエネルギーマネージメントシステム２０の詳細について説明する。特に、前記太陽電池アレイ１０および系統電源４２から供給される前記複数の電気機器に対して前記通信ネットワークを介して接続される前記表示装置２３について説明する。
【０１０９】
上述のように、住宅に設置される各種電気機器として、例えば、全館空調システム２５（室内機２５ａ、室外機２５ｂ、リモコン２５ｃ）や、ヒートポンプ給湯器２６（ヒートポンプユニット２６ａ、貯湯タンク２６ｂ、浴室リモコン２６ｃ）、電気で駆動する車両１４（例えば電気自動車、プラグインハイブリッド自動車）に搭載された車両用蓄電池１４ａに充電するための充電機器２７（充電スタンド）、ドアや窓等の建具のロックのための電気錠操作盤２８、照明器具２９、各種センサー３０，３１、その他いわゆる白物家電と呼ばれる各種家電機器（冷蔵庫３２、洗濯機、電子レンジなど）等を始め、様々なものが挙げられる。
【０１１０】
各種電気機器のうち、前記通信ネットワークを通じて各種操作・設定が可能なものがある。例えばホームオートメーション端子いわゆるＨＡ端子を有し、ホームオートメーションシステムに対応するエアコンでは、電話機等の操作に基づくＨＡコントロール信号をＨＡ端子に入力することにより、運転／停止を遠隔制御することができる。
また、家庭内の機器を制御する通信プロトコルとしてＥＣＨＯＮＥＴ（登録商標）、ＥＣＨＯＮＥＴ  Ｌｉｔｅ（登録商標）を導入すれば、通信ネットワークを通じて、遠隔制御、監視、連携動作等が可能となる。
【０１１１】
また、前記表示装置２３に対してハブ３３がＬＡＮ接続され、さらにハブ３３に拡張器３４，３５，３６がＬＡＮ接続されており、前記表示装置２３によって操作可能な各種電気機器の増設が可能となっている。
例えば図２，図２６〜図２８に示すように、ホームオートメーションシステムに対応するＨＡ対応機器３７，３８（以下、ＨＡ機器３７，３８）を増設する際は、前記拡張器３４，３５とＨＡ端子延長インターフェースユニット３７ａ，３８ａとを接続し、このＨＡ端子延長インターフェースユニット３７ａ，３８ａに対して、ＨＡ機器３７，３８を接続する。
ＥＣＨＯＮＥＴ規格やＥＣＨＯＮＥＴＬｉｔｅ規格に対応する機器３９（以下、ＥＣＨＯＮＥＴ機器３９）を増設する際は、図２，図２６，図２９に示すように、ルーター４０に有線または無線で接続すれば可能であり、前記ルーター４０をＬＡＮモジュラージャック４０ａを介して前記表示装置２３に接続すれば、この表示装置２３によって前記ＥＣＨＯＮＥＴ機器３９の操作が可能となる。
すなわち、本実施の形態においては複数の電気機器が通信ネットワークを介して前記表示装置２３によって個別に制御できるようになっている。また、表示装置２３自体が通信ネットワークを通じて操作可能となっているので、スマートフォン等の端末によって複数の電気機器が操作できる。
【０１１２】
また、前記表示装置２３は、前記ＥＣＨＯＮＥＴ機器および前記ＨＡ機器の各機器をそれぞれ制御するための複数のボタン６３〜７０を表示可能とされている。
すなわち、前記表示装置２３は、通信ネットワークを介して、前記ＥＣＨＯＮＥＴ機器および前記ＨＡ機器を始めとする複数の電気機器と接続されている。さらに、前記表示装置２３は、宅内にある複数の電気機器を制御する制御装置として機能するものであるため、前記ＥＣＨＯＮＥＴ機器および前記ＨＡ機器の各機器をそれぞれ制御するための制御装置としても機能する。前記複数のボタン６３〜７０は、前記表示装置２３の表示部２３ａ上で、前記ＥＣＨＯＮＥＴ機器および前記ＨＡ機器の各機器をそれぞれ個別に操作するためのものである。そして、前記表示装置２３に対して前記複数のボタン６３〜７０が表示できるので、ユーザーである居住者は、前記表示装置２３に表示される前記複数のボタン６３〜７０を操作して、前記ＥＣＨＯＮＥＴ機器および前記ＨＡ機器の各機器を個別に操作できるようになっている。
【０１１３】
また、上述のように、前記分電盤２２には計測ユニット２２ａが内蔵されている。分電盤２２は、計測ユニット２２ａにより、前記ＥＣＨＯＮＥＴ機器および前記ＨＡ機器を始めとする複数の電気機器ごとにこれらの消費電力を測定する。具体的には、計測ユニット２２ａが複数の電力測定器を有し、これら電力測定器が複数の電気機器の電気配線にそれぞれ接続されている。
また、計測ユニット２２ａが太陽電池アレイ１０用の電力測定器を有し、分電盤２２が太陽電池アレイ１０の出力電力をこの電力測定器により測定する。また、計測ユニット２２ａが買電用の電力測定器を有し、分電盤２２が系統電源４２から順潮流された電力をこの電力測定器により測定する。また、計測ユニット２２ａが売電用の電力測定器を有し、分電盤２２が系統電源４２へ逆潮流された電力をこの電力測定器により測定する。
【０１１４】
分電盤２２は、通信ネットワークを介して表示装置２３に接続されている。分電盤２２は、前記ＥＣＨＯＮＥＴ機器および前記ＨＡ機器を始めとする複数の電気機器の消費電力の測定値を表示装置２３に出力する。また、分電盤２２は、太陽電池アレイ１０の出力電力の測定値と、系統電源４２から順潮流された電力の測定値と、系統電源４２へ逆潮流された電力の測定値とを表示装置２３に出力する。これら測定値の転送には通信ネットワークが利用される。
【０１１５】
この住宅には、上述のように、電気機器の増設が可能である。電気機器が増設された場合、これらは電気配線網に接続され、分電盤２２によってこれら増設電気機器に電力が供給されるとともに、これらの消費電力が分電盤２２によって測定される。また、増設電気機器が通信ネットワークに接続され、通信ネットワークを介して増設電気機器を遠隔操作することができる。
また、機器増設の一環として、図２７に示すように、前記蓄電池システム１１（１２）を、前記ＥＣＨＯＮＥＴＬｉｔｅ規格に対応させることができる。その際は、変換アダプタ７１をルーター４０と蓄電池システム１１（１２）との間に介在させる。この変換アダプタ７１によってＲＳ−４８５による通信ネットワークを構築できるようになっている。
【０１１６】
表示装置２３の構成について説明する。図１，図２６等に示すように、表示装置２３は表示部２３ａ、操作部２３ｂ、制御手段および筐体２３ｃを有する。制御手段が筐体２３ｃ内に設けられ、表示部２３ａはその表示面が筐体２３ｃの外に見えるように筐体２３ｃに設けられ、操作部２３ｂが表示部２３ａの表示面に設けられている。本実施の形態において操作部２３ｂはタッチパネルである。操作部２３ｂが各種ボタンやスイッチを有する場合には、それらが筐体２３ｃに設けられている。表示部２３ａは液晶ディスプレイ、有機ＥＬディスプレイその他のディスプレイである。制御手段はＣＰＵ、記憶部（ＲＡＭ、ＲＯＭ、不揮発性メモリ、ハードディスクドライブ等）、通信ユニット、入出力インターフェース、操作部２３ｂ用の信号処理回路、表示部２３ａ用の表示制御回路等を有するコンピューターである。制御手段は、通信ネットワークを介して複数の電気機器に接続されている。また、制御手段は、通信ネットワークを介して分電盤２２（主に、計測ユニット２２ａ）に接続されている。また、制御手段がルーターおよび通信回線を介して外部のサーバー４１に接続され、そのサーバー４１がインターネットに接続されている。また、制御手段は、宅内ＬＡＮに接続されている。宅内ＬＡＮが通信ネットワークと兼用されてもよい。
【０１１７】
制御手段は、制御手段にとって実行可能なソフトウェア（プログラム）を記憶部に記憶している。そのソフトウェアに基づく制御手段の機能としては、前記ＥＣＨＯＮＥＴ機器および前記ＨＡ機器を始めとする複数の電気機器や住宅のエリア別、分岐回路別、住宅全体の電力監視機能や、電力量算出機能、遠隔操作・遠隔制御・遠隔監視機能、グラフィカルユーザーインターフェース機能等を有する。
【０１１８】
なお、グラフィカルユーザーインターフェース機能について説明する。制御手段は、操作部２３ｂおよび表示部２３ａを用いるグラフィカルユーザーインターフェース（ＧＵＩ）を提供する。つまり、制御手段が上述の電力監視機能や、電力量算出機能による集計結果や監視結果に応じたウィンドウ、アイコン、ボタン、タブ、図、表、グラフ、テキスト、標識、模様といったオブジェクトが配置された画面を表示部２３ａに表示し、居住者が表示部２３ａの表示画面を通じて制御手段の集計結果や監視結果を認識する。そして、居住者が操作部２３ｂを用いて表示部２３ａの表示画面中のオブジェクトを選択し、選択結果に応じたコマンドが制御手段に入力され、制御手段がそのコマンドに応じた処理を行う。これによって、居住者であるユーザーが表示装置２３の機能を分かりやすく、かつ効率的に使用することができる。つまり、ホームエネルギーマネージメントシステム２０の利便性が向上する。
【０１１９】
以下、前記表示装置２３による前記ＥＣＨＯＮＥＴ機器および前記ＨＡ機器の各機器の制御・操作に係る各種表示画面等について説明する。すなわち、ここで説明する各種表示画面は、上述のグラフィカルユーザーインターフェース機能によって前記表示装置２３の表示部２３ａに表示されるものである。
【０１２０】
図３０は、前記ＥＣＨＯＮＥＴ機器および前記ＨＡ機器の使用状況をチェックするためのチェック画面である。すなわち、前記表示装置２３は、前記ＥＣＨＯＮＥＴ機器および前記ＨＡ機器の使用状況をチェックするためのチェック画面を表示可能とされている。
また、このチェック画面には、前記複数のボタン６３〜７０を表示するボタン表示領域７２が含まれており、このボタン表示領域７２に、前記複数のボタン６３〜７０がチェック画面に配置されている。複数のボタン６３〜７０は、上述のように前記ＥＣＨＯＮＥＴ機器および前記ＨＡ機器の各機器をそれぞれ個別に操作するためのものである。また、これら複数のボタン６３〜７０には、各機器の名称・各機器のアイコン・各機器の設置場所・稼働ランプ６３ａ〜７０ａ等の情報が示されている。
稼働ランプ６３ａ〜７０ａは、各機器が稼働している場合に点灯し、稼働していない場合には消灯している。
なお、本実施の形態において、前記ＥＣＨＯＮＥＴ機器および前記ＨＡ機器の各機器は、建物２１の１階浴室の浴室乾燥機（ボタン６３）と、建物２１の１階浴室の給湯器２６（ボタン６４）と、建物２１の１階浴室の排水栓（ボタン６５）と、建物２１の１階ガレージのシャッター（ボタン６６）と、建物２１の１階のエアコン（ボタン６７）と、建物２１の２階第一子供部屋のエアコン（ボタン６８）と、建物２１の２階第二子供部屋のエアコン（ボタン６９）と、建物２１の１階和室のエアコン（ボタン７０）と、がユーザーによって設定され、各ボタン６３〜７０に割り振られている。
【０１２１】
また、チェック画面には、前記ＥＣＨＯＮＥＴ機器および前記ＨＡ機器が設置された建物２１内エリアの電力の使用状況を表示する使用状況表示領域７３が含まれている。
すなわち、上述のように前記建物２１は、壁、床および天井等によって複数のエリア（例えば、居間、台所、食堂、浴室、玄関、便所、寝室、和室、洋室、廊下、階段室、庭、駐車場等）に区画されている。使用状況表示領域７３には、これら建物２１内の複数のエリアのうち、前記ＥＣＨＯＮＥＴ機器および前記ＨＡ機器が設置されたエリアを始めとする主要なエリアの電力の使用状況が表示される。
この使用状況表示領域７３は、エリア名と、これに対応する電力使用状況の数値と、この数値に対応するグラフオブジェクトとが表示される。さらに、建物２１全体の電力使用量や、水道使用量、室温、外気温が表示される。
【０１２２】
また、チェック画面には、前記複数の電気機器のうち外出時に使用される機器を制御する制御ボタンを表示する外出用ボタン表示領域７４が含まれている。この外出用ボタン表示領域７４に、ホームアイコンが表示されたホーム画面に戻るためのホームボタン７５と、外出用に各種電気機器の設定をするための「おでかけセット」ボタン７６および「おでかけモード」ボタン７７と、電気錠アイコンが表示された電気錠操作盤２８を制御する電気錠用ボタン７８と、電気で駆動する車両１４のアイコンが表示された当該車両１４を制御する車両制御ボタン７９と、が配置されている。
ボタン７８とボタン７９のそれぞれには稼働ランプ７８ａ，７９ａが示されている。すなわち、各機器が稼働している場合に点灯し、稼働していない場合には消灯している。例えば、車両１４の充電を開始したり、車両１４のエンジンをスタートさせたり、電気錠操作盤２８の操作を行ったりすることによって稼働ランプ７８ａ，７９ａが点灯する。
【０１２３】
このようなチェック画面をユーザーが見ることによって、前記使用状況表示領域７３に表示された前記ＥＣＨＯＮＥＴ機器および前記ＨＡ機器が設置された建物２１内エリアの電力の使用状況を確認しながら、前記ボタン表示領域７２に表示された前記複数のボタン６３〜７０を操作して、前記ＥＣＨＯＮＥＴ機器および前記ＨＡ機器を制御できる。
さらに、前記ＥＣＨＯＮＥＴ機器および前記ＨＡ機器が設置された建物２１内エリアの電力の使用状況を確認しながら、外出時に使用される機器を制御する制御ボタン７６〜７９を操作して、前記外出時に使用される機器を制御できる。
【０１２４】
図３１は、前記表示装置２３に設定された前記ＥＣＨＯＮＥＴ機器および前記ＨＡ機器の各機器が一台である場合の表示画面である。すなわち、前記ＥＣＨＯＮＥＴ機器および前記ＨＡ機器の割付がない場合は、設定された一台のボタン６３のみが表示され、他の複数のボタン６４〜７０は非表示の状態となる。
また、電気錠用ボタン７８、車両制御ボタン７９も、前記表示装置２３と接続されていない場合には表示されず、アイコン等が表示されないブランクボタンとして割り付けられることになる。
【０１２５】
図３２は、「おでかけセット」ボタン７６または「おでかけモード」ボタン７７をタッチした後の状態を示す、おでかけ中のチェック画面である。
このおでかけ中のチェック画面には、建物２１内エリアの、おでかけ中の電力の使用状況を表示する使用状況表示領域８０が含まれている。すなわち、ユーザーである居住者が、外出する際にセットしたおでかけモード中に各エリアで使用された電力の累計が表示される。また、その注釈が表示画面中に表示される。
さらに、おでかけ中のチェック画面には、おでかけモードを解除するための、おでかけ解除ボタン８１が含まれている。居住者は帰宅時に、この解除ボタン８１をタッチすることで、おでかけモードを解除することができる。おでかけモードが解除されると、図３０または図３１の表示画面に戻る。
【０１２６】
図３３は、表示装置２３における共通設定を行うためのメニュー画面である。このメニュー画面には、番号順に並べられた各種設定項目が表示される設定項目表示領域８２が含まれている。この設定項目表示領域８２に表示される設定項目は複数であり、時刻設定や各種画面設定を始め、前記蓄電池システム１１（１２）に係る設定項目や、前記電力システムに係る設定項目等が表示されている。
また、設定項目表示領域８２には、各設定項目上を移動するカーソル８２ａがある。
メニュー画面には、設定項目表示領域８２に表示されたカーソル８２ａを、番号順方向または逆方向に一項目ずつ移動させる順送りボタン８３および逆送りボタン８４が含まれている。
メニュー画面には、設定項目表示領域８２に表示された各設定項目を、設定項目表示領域８２に表示されない各設定項目に一ページずつ切り替えていくページ順送りボタン８５およびページ逆送りボタン８６が含まれている。ページ順送りボタン８５またはページ逆送りボタン８６を操作することで、設定項目表示領域８２に表示された各設定項目を番号順または番号順と反対に設定項目を送って、設定項目表示領域８２の表示の切り替えを行うことができる。例えば、図３３においてページ順送りボタン８５を一回タッチすると、設定項目表示領域８２には、１１番の設定項目から２２番の設定項目が表示される。
メニュー画面には、決定ボタン８７が含まれている。この決定ボタン８７をタッチすることで、カーソル８２ａが合っている位置の設定項目を選択でき、各設定画面へと画面を切り替えることができる。
また、メニュー画面には、ホームアイコンが表示されたホーム画面に戻るためのホームボタン８８が含まれている。
【０１２７】
図３４は、前記メニュー画面の設定項目の中から選択でき、前記ＥＣＨＯＮＥＴ機器および前記ＨＡ機器の各機器の設定を行うための設定画面である。この設定画面には、前記ＥＣＨＯＮＥＴ機器および前記ＨＡ機器の各機器が表示される機器表示領域８９と、前記複数のボタン６３〜７０に対応する番号が割り振られた番号ボタン９１〜９８が表示されるボタン表示領域９０と、各種切替ボタン１００〜１０３が表示される切替ボタン表示領域９９と、切替を行う機器の決定・解除を行う各種実行ボタン１０５〜１１０等が表示される実行ボタン表示領域１０４とが含まれている。
そして、この設定画面では、前記ＥＣＨＯＮＥＴ機器および前記ＨＡ機器と、前記複数のボタン６３〜７０とをそれぞれ連携させることができる。すなわち、前記表示装置２３は、前記ＥＣＨＯＮＥＴ機器および前記ＨＡ機器と、前記複数のボタン６３〜７０とをそれぞれ連携させるための当該設定画面を表示可能とされている。
【０１２８】
機器表示領域８９には、機器名とアイコンとが表示された複数の項目が上下に並んで配置されている。また、この機器表示領域８９には、機器名が表示された各項目上を移動するカーソル８９ａがある。また、カーソル８９ａが合っている機器の機器名と設置場所とアイコン等を示す欄８９ｂが、機器表示領域８９付近にある。
【０１２９】
ボタン表示領域９０には、前記複数のボタン６３〜７０に対応する番号のボタン９１〜９８が表示されており、各番号ボタンを介して、前記複数のボタン６３〜７０と各機器とを連携させることができる。
１番の番号ボタン９１は前記ボタン６３に対応し、２番の番号ボタン９２は前記ボタン６４に対応し、３番の番号ボタン９３は前記ボタン６５に対応し、４番の番号ボタン９４は前記ボタン６６に対応し、５番の番号ボタン９５は前記ボタン６７に対応し、６番の番号ボタン９６は前記ボタン６８に対応し、７番の番号ボタン９７は前記ボタン６９に対応し、８番の番号ボタン９８は前記ボタン７０に対応する。
【０１３０】
切替ボタン表示領域９９には、前記機器表示領域８９に表示される情報を切り替えるための切替ボタン１００〜１０３が表示されている。切替ボタン１００は、図３５に示すようなＨＡ／ＥＣＨＯＮＥＴ選択項目を表示させることができる。切替ボタン１０１は、建物２１のフロアを選択する項目を表示させることができる。切替ボタン１０２は、建物２１の部屋を選択する項目を表示させることができる。切替ボタン１０３は、図３４に示す機器表示領域８９の各機器の項目を表示させることができる。
各切替ボタン１００〜１０３をタッチして表示される各項目で選択した選択結果は、前記機器表示領域８９に表示される情報に反映されている。図３４においては、カーソル８９ａが合っている機器は、ＨＡ機器であり、建物２１の２階のリビングにあり、エアコンであることが、前記欄８９ｂにおいて示されている。
【０１３１】
実行ボタン表示領域１０４には、決定ボタン１０５と、解除ボタン１０６と、カーソルを上下させる下ボタン１０７・上ボタン１０８と、戻るボタン１０９と、ホームアイコンが表示されたホーム画面に戻るためのホームボタン１１０とが表示されている。
決定ボタン１０５は、カーソル８９ａの合っている機器を、前記複数のボタン６３〜７０のいずれかに対応付けるために用いる。解除ボタン１０６は、カーソル８９ａの合っている機器であって、かつ前記複数のボタン６３〜７０のいずれかに対応付けられた機器を、前記複数のボタン６３〜７０に対応しない状態に解除するものである。戻るボタン１０９は、各切替ボタン１００〜１０３をタッチして表示される画面から、図３４の設定画面に戻るためのボタンである。
【０１３２】
以上の設定画面の操作によって、前記ＥＣＨＯＮＥＴ機器および前記ＨＡ機器と、前記複数のボタン６３〜７０とをそれぞれ連携させる際は、まず、複数のボタン６３〜７０のうち、どのボタンの設定を行うかを決め、それに対応する番号ボタン９１〜９８を選択する。図３４においては番号ボタン９１が選択されている（すなわち、ボタン６３）。なお、選択された番号ボタンは他の番号ボタンと色分けされる。
続いて、切替ボタン１００〜１０３のうち、切替ボタン１００から順番にタッチして項目を切り替えて、前記ＥＣＨＯＮＥＴ機器か前記ＨＡ機器かを選択し、フロアを選択し、部屋を選択し、機器を選択する。機器を選択した時点で決定ボタン１０５をタッチすれば、前記ボタン６３と前記番号ボタン９１とが接続されて連携される。
【０１３３】
図３５は、切替ボタン１００をタッチして、ＨＡ／ＥＣＨＯＮＥＴ選択項目を表示させた状態の設定画面である。すなわち、機器表示領域８９には、ＨＡ機器を選択する項目と、ＥＣＨＯＮＥＴ機器を選択する項目とがある。
なお、図３５において機器表示領域８９の項目のうち、ＥＣＨＯＮＥＴ機器の項目を選択した上で切替ボタン１０３をタッチすると、図３６の画面に切り替わる。
【０１３４】
図３６は、ＥＣＨＯＮＥＴ機器設定画面であり、本実施の形態においてはＥＣＨＯＮＥＴＬｉｔｅで接続されている機器のオブジェクト名とオブジェクト種別アイコンをリスト表示する。
設定する機器を下ボタン１０７または上ボタン１０８で選択して、決定ボタン１０５をタッチする。この時、オブジェクト名（図３６では、ＨＶＡＣ＿１２３４５６７８）が、前記表示装置２３の記憶部に記憶される。
そして、前記表示装置２３の記憶部に記憶されたオブジェクト名は、前記欄８９ｂに表示される。
図３７は、カーソル８９ａの合っている機器が前記表示装置２３に記憶されていない場合の表示画面である。ここでは、オブジェクト名や、フロア情報、部屋情報が、前記欄８９ｂに表示されていない。
【０１３５】
図３８は、接続機器の設定画面である。この設定画面で設定される接続機器は、前記電気で駆動する車両１４や、前記蓄電池システム１１（１２）である。
この設定画面には、前記電気で駆動する車両１４用の項目１１１と、前記蓄電池システム１１（１２）用の項目１１２とが含まれている。
車両用項目１１１には、車両１４と表示装置２３とを接続する設定とするボタン１１３と、接続しない設定とするボタン１１４とが含まれる。車両１４と表示装置２３とを接続する場合はボタン１１３をタッチし、車両１４と表示装置２３とを接続しない場合はボタン１１４をタッチする。
蓄電池用項目１１２には、蓄電池システム１１（１２）と表示装置２３とを接続する設定とするボタン１１５と、接続しない設定とするボタン１１６と、接続した場合の蓄電池の種類を選択するボタン１１７，１１８とが含まれる。蓄電池システム１１（１２）と表示装置２３とを接続する場合はボタン１１５をタッチし、蓄電池システム１１（１２）と表示装置２３とを接続しない場合はボタン１１６をタッチする。また、「接続する」ボタン１１５をタッチした後、蓄電池の種類を選択するボタン１１７，１１８のいずれかをタッチする。リチウム蓄電池の場合はボタン１１７をタッチし、鉛蓄電池の場合はボタン１１８をタッチする。
図３８では、車両１４は表示装置２３とは接続されておらず、蓄電池システム１１（１２）は表示装置２３と接続され、かつリチウム蓄電池が選択されている。
また、この設定画面には、前の設定画面に戻るためのボタン１１９と、次の設定画面に進むためのボタン１２０とが含まれている。
【０１３６】
図３９は、図３８のボタン１２０をタッチした後の画面であり、接続機器の設定画面である。この設定画面で設定される接続機器は、前記電気錠操作盤２８や、前記全館空調システム２５である。
この設定画面には、前記電気錠操作盤２８用の項目１２１と、前記全館空調システム２５用の項目１２２とが含まれている。
電気錠用項目１２１には、電気錠操作盤２８と表示装置２３とを接続する設定とするボタン１２３と、接続しない設定とするボタン１２４とが含まれる。電気錠操作盤２８と表示装置２３とを接続する場合はボタン１２３をタッチし、電気錠操作盤２８と表示装置２３とを接続しない場合はボタン１２４をタッチする。
全館空調用項目１２２には、全館空調システム２５と表示装置２３とを接続する設定とするボタン１２５と、接続しない設定とするボタン１２６と、接続した場合の空調の種類を選択するボタン１２７，１２８とが含まれる。全館空調システム２５と表示装置２３とを接続する場合はボタン１２５をタッチし、全館空調システム２５と表示装置２３とを接続しない場合はボタン１２６をタッチする。また、「接続する」ボタン１２５をタッチした後、空調の種類を選択するボタン１２７，１２８のいずれかをタッチする。エアコンタイプの場合はボタン１２７をタッチし、換気タイプの場合はボタン１２８をタッチする。
図３９では、電気錠操作盤２８は表示装置２３と接続され、全館空調システム２５は表示装置２３と接続されていない。
また、この設定画面には、前の設定画面に戻るためのボタン１２９と、次の設定画面に進むためのボタン１３０とが含まれている。
【０１３７】
図４０は、前記ＥＣＨＯＮＥＴ機器および前記ＨＡ機器、電気錠操作盤２８、給湯器２６、全館空調システム２５のリモート機器設定画面である。すなわち、各機器の遠隔制御の各種設定を行うための画面である。
このリモート機器設定画面には、各種切替ボタン１３２〜１３５が表示される切替ボタン表示領域１３１と、リモート設定の各項目が表示されるリモート設定項目表示領域１３６と、が含まれている。
【０１３８】
切替ボタン表示領域１３１には、リモート設定項目表示領域１３６に表示される情報を切り替えるための切替ボタン１３２〜１３５が表示されている。
切替ボタン１３２は、前記ＥＣＨＯＮＥＴ機器および前記ＨＡ機器のリモート設定項目を、リモート設定項目表示領域１３６に表示させることができる。切替ボタン１３３は、電気錠操作盤２８のリモート設定項目を、リモート設定項目表示領域１３６に表示させることができる。切替ボタン１３４は、給湯器２６のリモート設定項目を、リモート設定項目表示領域１３６に表示させることができる。切替ボタン１３５は、全館空調システム２５のリモート設定項目を、リモート設定項目表示領域１３６に表示させることができる。
【０１３９】
図４０は、より詳細には、切替ボタン１３２をタッチして、前記ＥＣＨＯＮＥＴ機器および前記ＨＡ機器のリモート設定項目を、リモート設定項目表示領域１３６に表示させた状態の設定画面である。また、この設定画面には、前記番号ボタン９１〜９８が表示されるボタン表示領域９０が含まれている。すなわち、切替ボタン１３２をタッチすると前記ボタン表示領域９０が表示され、例えば、番号ボタン９１をタッチすると、リモート設定項目表示領域１３６の上方に、番号ボタン９１に対応付けられた機器（例えば１階リビングのエアコン）の情報が表示される。
リモート設定項目表示領域１３６には、当該番号ボタン９１（９２〜９８）に対応付けられた機器の設定項目が表示されている。具体的には、「ＯＮ通知」、「ＯＦＦ通知」、「ＯＮ制御」、「ＯＦＦ制御」、「ＷＥＢ確認」の項目が表示されている。各項目では、当該各項目の設定を行うか否かをボタンのタッチで選択することができる（「する」ボタンまたは「しない」ボタン）。選択されたボタンは、選択されなかったボタンと色分けされる。
また、各項目の選択を終えた後は、決定ボタン１３７をタッチして設定を完了させる。
【０１４０】
図４１は、切替ボタン１３３をタッチして、前記電気錠操作盤２８のリモート設定項目を、リモート設定項目表示領域１３６に表示させた状態の設定画面である。
リモート設定項目表示領域１３６には、電気錠操作盤２８の設定項目が表示されている。具体的には、「電気錠施錠通知」、「電気錠解錠通知」、「窓施錠モニター通知」、「電気錠施錠制御」、「ＷＥＢ確認」の項目が表示されている。各項目では、当該各項目の設定を行うか否かをボタンのタッチで選択することができる（「する」ボタンまたは「しない」ボタン）。選択されたボタンは、選択されなかったボタンと色分けされる。
また、各項目の選択を終えた後は、決定ボタン１３７をタッチして設定を完了させる。
【０１４１】
図４２は、切替ボタン１３４をタッチして、前記給湯器２６のリモート設定項目を、リモート設定項目表示領域１３６に表示させた状態の設定画面である。
リモート設定項目表示領域１３６には、給湯器２６の設定項目が表示されている。具体的には、「ＷＥＢ確認」、「休止ＯＮ」、「休止ＯＦＦ」、「お湯張り予約」の項目が表示されている。各項目では、当該各項目の設定を行うか否かをボタンのタッチで選択することができる（「する」ボタンまたは「しない」ボタン）。選択されたボタンは、選択されなかったボタンと色分けされる。
また、各項目の選択を終えた後は、決定ボタン１３７をタッチして設定を完了させる。
【０１４２】
図４３は、ピークカット、すなわち電力需要のピーク時に消費電力を削減する際に、消費電力を削減する機器の優先順位を設定するためのピークカット設定画面である。
このピークカット設定画面には、各優先順位に対応する機器を選択する複数の機器選択ボタン１３９〜１４５が表示される機器選択ボタン表示領域１３８と、機器選択ボタン１３９〜１４５にそれぞれ対応する電流設定ボタン１４７〜１５３が表示される電流設定ボタン表示領域１４６と、選択された機器選択ボタン１３９〜１４５の機器名を切り替える際に使用される上ボタン１５４・下ボタン１５５と、決定ボタン１５６とが含まれている。
【０１４３】
機器選択ボタン表示領域１３８に表示された複数の機器選択ボタン１３９〜１４５は、１〜７までの優先順位に対応して並んで配置されている。機器を選択する際は、例えば機器選択ボタン１３９をタッチし、上ボタン１５４または下ボタン１５５をタッチすることで行われ、これによって所望の機器名に切り替えることができる。ただし、図４３に示すように、優先順位規則が定められており、蓄電池システム１１（１２）が優先順位の最も高い機器とされ、電気で駆動する車両１４が次に高い優先順位の機器とされ、全館空調システム２５・ＥＣＨＯＮＥＴ機器およびＨＡ機器が、３番目以降の優先順位の機器とされている。
なお、図４３では、蓄電池システム１１（１２）が１番目の優先順位の機器とされ、電気で駆動する車両１４が２番目の優先順位の機器とされ、全館空調システム２５が３番目の優先順位の機器とされ、ＥＣＨＯＮＥＴ機器またはＨＡ機器の機器が４番目の優先順位の機器とされている。
【０１４４】
電流設定ボタン表示領域１４６に表示された複数の電流設定ボタン１４７〜１５３は、機器選択ボタン１３９〜１４５にそれぞれ対応するように配置されている。電流を設定する際は、例えば電流設定ボタン１４７をタッチし、上ボタン１５４または下ボタン１５５をタッチすることで行われ、これによって所望の電流量に切り替えることができる。
また、各項目の選択を終えた後は、決定ボタン１５６をタッチして設定を完了させる。
【０１４５】
以上のように、本実施の形態によれば、前記表示装置２３は、前記ＥＣＨＯＮＥＴ機器および前記ＨＡ機器の各機器をそれぞれ制御するための制御装置として機能し、前記複数のボタン６３〜７０は、前記ＥＣＨＯＮＥＴ機器および前記ＨＡ機器の各機器をそれぞれ個別に操作することができる。そして、前記表示装置２３に対して前記複数のボタン６３〜７０が表示できるので、ユーザーは、前記表示装置２３に表示される前記複数のボタン６３〜７０を操作して、前記ＥＣＨＯＮＥＴ機器および前記ＨＡ機器の各機器を個別に操作することができる。
これによって、例えば宅内に前記ＥＣＨＯＮＥＴ機器および前記ＨＡ機器が混在していても、前記ＥＣＨＯＮＥＴ機器および前記ＨＡ機器の各機器を、前記表示装置２３によって個別に制御することが可能となる。
【０１４６】
また、前記表示装置２３は、前記ＥＣＨＯＮＥＴ機器および前記ＨＡ機器と、前記複数のボタン６３〜７０とをそれぞれ連携させるための設定画面を表示可能とされているので、前記表示装置２３に前記設定画面を表示して、前記ＥＣＨＯＮＥＴ機器および前記ＨＡ機器と、前記複数のボタン６３〜７０とをそれぞれ連携させることができる。
これによって、ユーザーは、前記設定画面上で前記複数のボタン６３〜７０の設定を行うことができるので使い勝手がよい。
さらに、前記ＥＣＨＯＮＥＴ機器および前記ＨＡ機器と、前記複数のボタン６３〜７０とをそれぞれ連携させるための設定画面だけでなく、その他の設定画面を表示して、前記ＥＣＨＯＮＥＴ機器および前記ＨＡ機器を含む複数の電気機器の各種設定を行うことができるので、利便性に優れる。
【０１４７】
また、前記チェック画面には、前記ボタン表示領域７２と、前記使用状況表示領域７３と、前記外出用ボタン表示領域７４と、が含まれているので、前記使用状況表示領域７３に表示された前記ＥＣＨＯＮＥＴ機器および前記ＨＡ機器が設置された建物２１内エリアの電力の使用状況を確認しながら、前記ボタン表示領域７２に表示された前記複数のボタン６３〜７０を操作して、前記ＥＣＨＯＮＥＴ機器および前記ＨＡ機器を制御できる。さらに、前記ＥＣＨＯＮＥＴ機器および前記ＨＡ機器が設置された建物２１内エリアの電力の使用状況を確認しながら、外出時に使用される機器を制御する制御ボタン７６〜７９を操作して、前記外出時に使用される機器を制御できる。
これによって、ユーザーは、外出する際に前記チェック画面上で、前記ＥＣＨＯＮＥＴ機器および前記ＨＡ機器の使用状況に応じた前記ＥＣＨＯＮＥＴ機器および前記ＨＡ機器の制御が可能となるので、前記外出時に使用される機器を操作するために外に出たり、各機器が配置された部屋まで機器を操作しに行ったりする手間を省略することができ、使い勝手がよい。
【符号の説明】
【０１４８】
１０  太陽電池アレイ
１０ａ  パワーコンディショナー
１１  蓄電池システム
１１ａ  コンバータ
１１ｂ  蓄電池本体
１１ｃ  双方向インバータ
１１ｅ  チョッパ
１１ｆ  インバータ
１１ｄ  制御回路
１２  蓄電池システム
１２ｂ  蓄電池本体
１２ｃ  双方向インバータ
１２ｅ  チョッパ
１２ｆ  インバータ
１３  重要負荷分電盤
１３ａ  リレー
１４  車両
１４ａ  車両用蓄電池
１４ｂ  絶縁トランス
１５  重要負荷系統
１８  非常時切替ボックス
１８ａ  切替スイッチ
２０  ホームエネルギーマネージメントシステム
２１  建物
２１ａ  居室
２１ｂ  蔵型収納室
２２  分電盤
２２ｃ  ブレーカー
２３  表示装置
４３  宅内設置部
４３ａ  床
４３ｂ  中間床
４３ｃ  外壁
４４  換気装置
４４ａ  ガスセンサー
４８  「おやすみ充電（夜間）」オブジェクト
４９  「おひさま充電（日中）」オブジェクト
５０  「時間帯設定」オブジェクト
５１  「備蓄量設定」オブジェクト
５２  上操作アイコン
５３  下操作アイコン
５４  電池接続状況オブジェクト
５５  整定値確定オブジェクト
６３〜７０  ボタン
７２  ボタン表示領域
７３  使用状況表示領域
７４  外出ボタン表示領域
７５  ホームボタン
７６  おでかけセットボタン
７７  おでかけモードボタン
７８  電気錠用ボタン
７９  車両制御用ボタン
８９  機器表示領域
９０  ボタン表示領域
９１〜９９  番号ボタン
１００  ＨＡ／ＥＣＨＯＮＥＴ切替ボタン
１０１  フロア切替ボタン
１０２  部屋切替ボタン
１０３  機器切替ボタン
１０４  実行ボタン表示領域
１０５  決定ボタン
１０６  解除ボタン
Ｍ１  第一充電モード
Ｍ２  第二充電モード
【図１】
2014165998.tif 000003
【図２】
2014165998.tif 000004
【図３】
2014165998.tif 000005
【図４】
2014165998.tif 000006
【図５】
2014165998.tif 000007
【図６】
2014165998.tif 000008
【図７】
2014165998.tif 000009
【図８】
2014165998.tif 000010
【図９】
2014165998.tif 000011
【図１０】
2014165998.tif 000012
【図１１】
2014165998.tif 000013
【図１２】
2014165998.tif 000014
【図１３】
2014165998.tif 000015
【図１４】
2014165998.tif 000016
【図１５】
2014165998.tif 000017
【図１６】
2014165998.tif 000018
【図１７】
2014165998.tif 000019
【図１８】
2014165998.tif 000020
【図１９】
2014165998.tif 000021
【図２０】
2014165998.tif 000022
【図２１】
2014165998.tif 000023
【図２２】
2014165998.tif 000024
【図２３】
2014165998.tif 000025
【図２４】
2014165998.tif 000026
【図２５】
2014165998.tif 000027
【図２６】
2014165998.tif 000028
【図２７】
2014165998.tif 000029
【図２８】
2014165998.tif 000030
【図２９】
2014165998.tif 000031
【図３０】
2014165998.tif 000032
【図３１】
2014165998.tif 000033
【図３２】
2014165998.tif 000034
【図３３】
2014165998.tif 000035
【図３４】
2014165998.tif 000036
【図３５】
2014165998.tif 000037
【図３６】
2014165998.tif 000038
【図３７】
2014165998.tif 000039
【図３８】
2014165998.tif 000040
【図３９】
2014165998.tif 000041
【図４０】
2014165998.tif 000042
【図４１】
2014165998.tif 000043
【図４２】
2014165998.tif 000044
【図４３】
2014165998.tif 000045